(57)【特許請求の範囲】
【請求項１】
開閉体を開き移動と閉じ移動のうち、少なくとも開き移動させるための開閉機と、この開閉機を支持するための支持部材と、前記開閉機から延びる紐状部材と、前記開閉機と前記支持部材を収納するための収納部材と、を含んで構成されている電動式開閉装置の配線方法において、
少なくとも前記開閉機を前記支持部材に支持させるときに、前記紐状部材を、前記支持部材に形成された第１孔と前記収納部材に形成された第２孔とに挿通して前記収納部材の外部に一旦突出させる作業工程と、前記収納部材の前記外部に一旦突出させた前記紐状部材を、前記収納部材に形成された第３孔に挿通して前記支持部材と前記収納部材との間に形成された隙間部を通過させる作業工程と、を含むことを特徴とする電動式開閉装置の配線方法。
【請求項２】
請求項１に記載の電動式開閉装置の配線方法において、前記第２孔は、前記収納部材における前記第１孔の形成箇所と対面する箇所に形成し、前記第３孔は、前記収納部材における前記第２孔の形成箇所から前記開閉体の開閉移動方向に離間した箇所に形成することを特徴とする電動式開閉装置の配線方法。
【請求項３】
請求項１又は２に記載の電動式開閉装置の配線方法において、前記第２孔の径寸法は、前記第１孔の径寸法よりも同じ又はこれよりも大きいことを特徴とする電動式開閉装置の配線方法。
【請求項４】
請求項１〜３のいずれかに記載の電動式開閉装置の配線方法において、前記紐状部材は、前記開閉機に接続された電気コードであることを特徴とする電動式開閉装置の配線方法。
【請求項５】
請求項１〜３のいずれかに記載の電動式開閉装置の配線方法において、前記紐状部材は、前記開閉機の電動モータが停止しているときに、前記開閉機のブレーキをオン、オフ切り替え操作するための切替部材であることを特徴とする電動式開閉装置の配線方法。
【請求項６】
請求項１〜５のいずれかに記載の電動式開閉装置の配線方法において、前記紐状部材は少なくとも２本あり、これらの紐状部材のうちの１本は、前記開閉機に接続された電気コードであり、他の１本は、前記開閉機の電動モータが停止しているときに、前記開閉機のブレーキをオン、オフ切り替え操作するための切替部材であることを特徴とする電動式開閉装置の配線方法。
【請求項７】
請求項１〜６のいずれかに記載の電動式開閉装置の配線方法において、前記第１孔と前記第２孔と前記第３孔のうちの少なくとも１つに、案内部材を嵌入する作業工程が実施され、この後、前記案内部材の内部孔に前記紐状部材を挿通する作業工程が実施されることを特徴とする電動式開閉装置の配線方法。
【請求項８】
請求項１〜６のいずれかに記載の電動式開閉装置の配線方法において、前記第２孔と前記第３孔のうちの少なくとも１つに、前記紐状部材の配線方向にしたがって湾曲した湾曲部を有している案内部材の一部を嵌入するとともに、前記案内部材を止め具により前記収納部材に止める作業工程が実施され、この後、前記案内部材の内部孔に前記紐状部材を挿通する作業工程が実施されることを特徴とする電動式開閉装置の配線方法。
【請求項９】
請求項１〜８のいずれかに記載の電動式開閉装置の配線方法において、前記開閉体は、巻取軸から繰り出され、巻き取られるシャッターカーテンであり、前記開閉機は、前記巻取軸の内部に収納され、前記巻取軸は、前記開閉機とともに前記支持部材で支持され、前記開閉機から延びる前記紐状部材は、前記巻取軸の軸方向の端部から延びていることを特徴とする電動式開閉装置の配線方法。
【請求項１０】
開閉体を開き移動と閉じ移動のうち、少なくとも開き移動させるための開閉機と、この開閉機を支持するための支持部材と、前記開閉機から延びる紐状部材と、前記開閉機と前記支持部材を収納するための収納部材と、を含んで構成されている電動式開閉装置の配線構造において、
前記紐状部材は、前記支持部材に形成された第１孔と前記収納部材に形成された第２孔とに挿通されて前記収納部材の外部に突出され、かつ、前記収納部材に形成された第３孔に挿通されて前記支持部材と前記収納部材との間に形成された隙間部を通過していることを特徴とする電動式開閉装置の配線構造。
【請求項１１】
請求項１０に記載の電動式開閉装置の配線構造において、前記収納部材には、前記紐状部材のうちの前記収納部材の前記外部に露出した部分を覆うためのカバー部材が設けられていることを特徴とする電動式開閉装置の配線構造。
【発明の詳細な説明】
【技術分野】
【０００１】
本発明は、開閉体を開き移動と閉じ移動のうち、少なくとも開き移動させるための開閉機を備えた電動式開閉装置の配線方法及び配線構造に係り、例えば、窓用シャッター装置や出入口用シャッター装置や防災用シャッター装置を含む各種の電動式シャッター装置（手動式巻取軸から電動式巻取軸に改修されたシャッター装置を含む）、ロールブラインド装置、オーニング装置、防煙垂れ幕装置、オーバーヘッドドア（オーバースライディングドア）等に利用できるものである。
【背景技術】
【０００２】
下記の特許文献１には、窓サッシの外側に配設された電動式開閉装置である窓用シャッター装置が示されている。
【０００３】
この窓用シャッター装置は、開閉体であるシャッターカーテンを開閉移動させるための開閉機と、シャッターカーテンを巻き取り、繰り出す巻取軸と、この巻取軸を支持するための支持部材である支持用ブラケットと、開閉機から延びる紐状部材である電源コードと、前記開閉機と前記支持用ブラケットと前記巻取軸を収納するための収納部材であるシャッターケースと、を含んで構成されている。また、この窓用シャッター装置では、開閉機は、巻取軸の内部に収納されており、開閉機の電源コードは、巻取軸の軸方向の端部から延びている。
【先行技術文献】
【特許文献】
【０００４】
【特許文献１】特開２００４−２５７０６３号公報
【発明の概要】
【発明が解決しようとする課題】
【０００５】
ところで、開閉機から延びる電源コードは、所定の箇所（例えば、商用電源のコンセント）まで、できるだけ雨水や埃等にさらされないように配線することが好ましく、このため、開閉機から延びる電源コードを支持用ブラケットとシャッターケースとの間に形成された隙間部に配線することが求められる場合がある。
【０００６】
しかし、支持用ブラケットとシャッターケースとの間隔は狭くなっており、開閉機（上記の例では、開閉機とこの開閉機を内部に収納する巻取軸）を支持用ブラケットに支持させる作業を行うときに、この作業と同時に、電源コードを支持用ブラケットに形成した孔に挿通するとともにこの電源コードを直接的に支持用ブラケットとシャッターケースとの間に形成された上記隙間部に配線する作業を行うことは容易ではない。
【０００７】
また、電源コードをこのように配線することにより、電源コードは、支持用ブラケットの孔から上記隙間部へ垂直方向に折れ曲がって配線されることになるため、電源コードを上記隙間部に配線する途中において、あるいは、電源コードを上記隙間部に配線した後において、開閉機から延びる電源コードがこの開閉機と支持用ブラケットとの間で絡まった場合には、この絡まりをほどく作業は容易ではない。
【０００８】
このため、開閉機から延びる電源コードの配線作業が容易となる配線方法及び配線構造の工夫が求められている。
【０００９】
本発明の目的は、開閉機から延びる紐状部材の配線作業の容易化が図れるようになる電動式開閉装置の配線方法及び配線構造を提供するところにある。
【課題を解決するための手段】
【００１０】
本発明に係る電動式開閉機の配線方法は、開閉体を開き移動と閉じ移動のうち、少なくとも開き移動させるための開閉機と、この開閉機を支持するための支持部材と、前記開閉機から延びる紐状部材と、前記開閉機と前記支持部材を収納するための収納部材と、を含んで構成されている電動式開閉装置の配線方法において、少なくとも前記開閉機を前記支持部材に支持させるときに、前記紐状部材を、前記支持部材に形成された第１孔と前記収納部材に形成された第２孔とに挿通して前記収納部材の外部に一旦突出させる作業工程と、前記収納部材の前記外部に一旦突出させた前記紐状部材を、前記収納部材に形成された第３孔に挿通して前記支持部材と前記収納部材との間に形成された隙間部を通過させる作業工程と、を含むことを特徴とするものである。
【００１１】
前述したように、前記支持部材と前記収納部材との間隔は狭くなっており、少なくとも前記開閉機を前記支持部材に支持させるときに、前記紐状部材を、前記支持部材に形成された孔に挿通するとともにこの紐状部材を直接的に前記支持部材と前記収納部材との間に形成された前記隙間部に配線する作業を行うことは容易ではない。
【００１２】
また、前述したように、前記紐状部材をこのように配線することにより、前記紐状部材は、前記支持部材の孔から前記隙間部へ例えば垂直方向に折れ曲がって配線されることになるため、前記紐状部材を前記隙間部に配線する途中において、あるいは、前記紐状部材を前記隙間部に配線した後において、前記開閉機から延びる前記紐状部材がこの開閉機と前記支持部材との間で絡まった場合には、この絡まりをほどく作業は容易ではない。
【００１３】
これに対して、本発明では、少なくとも前記開閉機を前記支持部材に支持させる（後述するように、前記開閉機が巻取軸の内部に収納されている場合には、この巻取軸を前記支持部材に支持させる）ときに、前記紐状部材を、前記支持部材に形成された前記第１孔と前記収納部材に形成された前記第２孔とに挿通して前記収納部材の前記外部に一旦突出させる作業工程が実施される。
【００１４】
そして、前記開閉機を前記支持部材に支持させた後は、前記収納部材の前記外部に一旦突出させた前記紐状部材を、前記収納部材に形成された前記第３孔に挿通して前記支持部材と前記収納部材との間に形成された前記隙間部を通過させる作業工程が実施される。
【００１５】
これにより、作業者は、前記開閉機を前記支持部材に支持させた後は、前記収納部材の前記外部に一旦突出させた前記紐状部材を、前記収納部材に形成された前記第３孔に挿通して前記支持部材と前記収納部材との間に形成された前記隙間部を通過させる作業を行うことに専念できるようになる。
【００１６】
また、これにより、前記紐状部材の一部が前記収納部材の前記外部に露出した状態となるため、前記開閉機を前記支持部材に支持させた後、前記紐状部材を前記隙間部に配線する途中において、あるいは、前記紐状部材を前記隙間部に配線した後において、前記開閉機から延びる前記紐状部材がこの開閉機と前記支持部材との間で絡まった場合には、前記作業者は、前記紐状部材のうちの前記収納部材の前記外部に露出した部分を引っ張り操作等することで前記紐状部材の絡まりをほどく作業を容易に行うことができる。
【００１７】
このため、本発明によると、少なくとも前記開閉機を前記支持部材に支持させるときに、前記紐状部材を、前記支持部材に形成された孔に挿通するとともにこの紐状部材を直接的に前記支持部材と前記収納部材との間に形成された前記隙間部に配線する場合と比較して、配線作業が容易となる。
【００１８】
このように、本発明に係る電動式開閉装置の配線方法によると、開閉機から延びる紐状部材の配線作業の容易化が図れるようになる。
【００１９】
本発明において、前記収納部材における前記第２孔の形成箇所は、任意な箇所でよいが、前記収納部材における前記第１孔の形成箇所と対面する箇所に形成することが好ましい。
【００２０】
これによると、前記第２孔の形成箇所を前記第１孔の形成箇所と対面しない箇所とした場合と比較して、前記第１孔に挿通した前記紐状部材をさらに前記第２孔に挿通する作業が容易となる。
【００２１】
さらに、前記第１孔の中心位置は、前記第２孔の中心位置と一致又は略一致していることが好ましい。
【００２２】
これによると、前記第１孔の中心位置が前記第２孔の中心位置と一致又は略一致していない場合と比較して、前記第１孔に挿通した前記紐状部材をさらに前記第２孔に挿通する作業がより容易となる。
【００２３】
また、本発明において、前記収納部材における前記第３孔の形成箇所は、任意な箇所でよく、例えば、前記第３孔は、前記第２孔の形成箇所から前記開閉体の開閉移動方向に離間した箇所に形成してもよく、前記第２孔の形成箇所から前記開閉体の開閉移動方向にずれて離間した箇所に形成してもよい。
【００２４】
したがって、例えば、前記第１孔と前記第２孔とに挿通した前記紐状部材を前記開閉体の閉じ移動方向へ延ばす場合には、前記第３孔は、前記第２孔の形成箇所から前記開閉体の閉じ移動方向に離間した箇所、あるいは、前記第２孔の形成箇所から前記開閉体の閉じ移動方向にずれて離間した箇所に形成する。
【００２５】
本発明において、前記第２孔の径寸法は、前記第１孔の径寸法よりも同じ又はこれよりも大きいことが好ましい。
【００２６】
これによると、前記第２孔の径寸法が前記第１孔の径寸法よりも小さい場合と比較して、前記第１孔に挿通した前記紐状部材を前記第２孔に挿通する作業が容易となる。
【００２７】
本発明において、前記紐状部材は、紐状となっている部材であれば形状、構造、用途等は任意なものでよく、前記紐状部材の第１の例は、前記開閉機に接続された電気コード（例えば、前記開閉機を構成する電動モータ、この電動モータの駆動制御を行う制御装置、前記電動モータの制動を行うブレーキ等に電源を供給するための電源コード（電源線）やアース線）である。また、前記紐状部材の第２の例は、前記開閉機の前記電動モータが停止しているときに、前記開閉機の前記ブレーキをオン、オフ切り替え操作するための切替部材（ワイヤー部材）である。さらに、前記紐状部材の第３の例は、前記開閉機の前記電動モータの回転や停止を操作するための操作装置からの制御信号を前記制御装置に伝達（送信）するための信号線（信号ケーブル）である。またさらに、前記紐状部材の第４の例は、前記開閉体の閉じ移動中にこの開閉体の閉じ移動方向に存在する障害物を感知（検出）する障害物感知手段を備えている場合において、前記障害物感知出手段からの障害物感知信号を前記電動モータの駆動制御を行う前記制御装置に伝達（送信）するための信号線（信号ケーブル）である。
【００２８】
なお、本発明において、前記紐状部材の本数は、１本でもよく、少なくとも２本（言い換えると、複数本）でもよい。前者の場合には、前記紐状部材は、例えば、上述した紐状部材の各例のうちのいずれかでもよく、後者の場合には、前記紐状部材は、１種類（例えば、上述した紐状部材の各例のうちのいずれか）の紐状部材で構成されるものでもよく、複数種類（例えば、上述した紐状部材の各例のうちの少なくとも２例）の紐状部材で構成されるものでもよい。
【００２９】
後者の場合の一例として、前記紐状部材は少なくとも２本あり、これらの紐状部材のうちの１本は、前記開閉機に接続された電気コードであり、他の１本は、前記開閉機の電動モータが停止しているときに、前記開閉機のブレーキをオン、オフ切り替え操作するための切替部材であるものを挙げることができる。
【００３０】
本発明において、前記第１孔と前記第２孔と前記第３孔のうちの少なくとも１つに、案内部材を嵌入する作業工程が実施され、この後、前記案内部材の内部孔に前記紐状部材を挿通する作業工程が実施されるようにしてもよい。
【００３１】
これによると、前記紐状部材が上記各孔を通過する際に、この紐状部材が上記各孔と擦れて損傷することを、案内部材により防止することができる。すなわち、上記各孔と擦れることによる前記紐状部材の耐久性の低下を防止することができる。
【００３２】
なお、前記第１孔に嵌入する前記案内部材は、前記支持部材よりも軟質の材料で形成することが好ましく、また、前記第２孔と前記第３孔に嵌入する前記案内部材は、前記収納部材よりも軟質の材料で形成することが好ましい。
【００３３】
また、本発明において、前記第２孔と前記第３孔のうちの少なくとも１つに、前記紐状部材の配線方向にしたがって湾曲した湾曲部を有している案内部材の一部を嵌入するとともに、前記案内部材を止め具により前記収納部材に止める作業工程が実施され、この後、前記案内部材の内部孔に前記紐状部材を挿通する作業工程が実施されるようにしてもよい。
【００３４】
これによると、上述したように、前記紐状部材が上記各孔を通過する際に、この紐状部材が上記各孔と擦れて損傷することを、前記案内部材により防止することができるだけでなく、前記案内部材の前記湾曲部による湾曲案内作用により、前記紐状部材を所定方向に湾曲させて配線することができる。
【００３５】
以上の本発明において、前記開閉体は、巻取軸から繰り出され、巻き取られるシャッターカーテンでもよく、巻取軸から繰り出され、巻き取られるものではない例えば、防煙垂れ壁やオーバーヘッドドア（オーバースライディングドア）でもよい。
【００３６】
また、前記開閉機は、前記巻取軸の内部に収納されるものでもよく、前記巻取軸の外部に配置されるものでもよい。
【００３７】
前者の場合には、前記巻取軸は、前記開閉機とともに前記支持部材で支持されるものとなる。一方、後者の場合には、前記開閉機と前記巻取軸のそれぞれが前記支持部材で支持されるものとしてもよく、前記開閉機は前記支持部材で支持され、前記巻取軸は前記支持部材とは別の支持部材で支持されるものとしてもよい。
【００３８】
なお、前者の場合には、前記開閉機から延びる前記紐状部材は、前記巻取軸の軸方向の端部から延びるようにすることが好ましい。
【００３９】
なお、本発明において、紐状部材の終端部や途中部等に付属部品等の別部材が取り付けられるものである場合には、第１〜第３孔の径寸法は、前記別部材を含む紐状部材の径寸法よりも大きいものとしてもよく、しなくてもよい。言い換えると、第１〜第３孔は、別部材が取り付けられた場合の紐状部材が挿通可能な径寸法を有するものものでもよく、有しないものでもよい。
【００４０】
後者の場合には、紐状部材を第１〜第３孔に挿通する作業工程が実施された後に、前記別部材を紐状部材に取り付ける作業工程が実施されるようにする。
【００４１】
ここで、前記別部材の第１の例は、紐状部材が前記電気コードである場合であって、この電気コードが電源コード（電源線）である場合におけるこの電源コードの終端部に取り付けられる電源プラグである。
【００４２】
また、前記別部材の第２の例は、紐状部材が前記電気コードである場合であって、この電気コードが信号線である場合におけるこの信号線から外部からのノイズを減衰させるためのフェライトコアである。
【００４３】
また、前記別部材の第３の例は、紐状部材が切替部材（ワイヤー部材）である場合には、この切替部材の終端部に取り付けられ、この切替部材を操作するための操作部材（切替部材を引張り操作する場合には、引張操作部材）である。
【００４４】
本発明に係る電動式開閉装置の配線構造は、開閉体を開き移動と閉じ移動のうち、少なくとも開き移動させるための開閉機と、この開閉機を支持するための支持部材と、前記開閉機から延びる紐状部材と、前記開閉機と前記支持部材を収納するための収納部材と、を含んで構成されている電動式開閉装置の配線構造において、前記紐状部材は、前記支持部材に形成された第１孔と前記収納部材に形成された第２孔とに挿通されて前記収納部材の外部に突出され、かつ、前記収納部材に形成された第３孔に挿通されて前記支持部材と前記収納部材との間に形成された隙間部を通過していることを特徴とするものである。
【００４５】
前述したように、前記支持部材と前記収納部材との間隔は狭くなっており、前記紐状部材が、前記支持部材に形成された孔に挿通され、かつ、直接的に前記支持部材と前記収納部材との間に形成された前記隙間部を通過する配線構造となっている場合には、前記紐状部材は、前記支持部材の孔から前記隙間部へ例えば垂直方向に折れ曲がって配線されることになるため、前記紐状部材が前記隙間部に配線される途中において、あるいは、前記紐状部材が前記隙間部に配線された後において、前記開閉機から延びる前記紐状部材がこの開閉機と前記支持部材との間で絡まった場合には、この絡まりをほどく作業は容易ではない。
【００４６】
これに対して、本発明では、前記紐状部材は、前記支持部材に形成された第１孔と前記収納部材に形成された第２孔とに挿通されて前記収納部材の外部に突出され、かつ、前記収納部材に形成された第３孔に挿通されて前記支持部材と前記収納部材との間に形成された隙間部を通過する配線構造となっている。
【００４７】
これにより、前記紐状部材の一部が前記収納部材の前記外部に露出した状態となるため、前記紐状部材が前記隙間部に配線される途中において、あるいは、前記紐状部材が前記隙間部に配線された後において、前記開閉機から延びる前記紐状部材がこの開閉機と前記支持部材との間で絡まった場合には、前記作業者は、前記紐状部材のうちの前記収納部材の前記外部に露出した部分を引っ張り操作等することで前記紐状部材の絡まりをほどく作業を容易に行うことができる。
【００４８】
このため、本発明によると、前記紐状部材が、前記支持部材に形成された孔に挿通され、かつ、直接的に前記支持部材と前記収納部材との間に形成された前記隙間部を通過する配線構造とした場合と比較して、配線作業が容易となる。
【００４９】
このように、本発明に係る電動式開閉装置の配線構造によると、開閉機から延びる紐状部材の配線作業の容易化が図れるようになる。
【００５０】
なお、本発明において、前記収納部材には、前記紐状部材のうちの前記収納部材の前記外部に露出した部分を覆うためのカバー部材を設けることが好ましい。
【００５１】
これによると、前記紐状部材のうちの前記収納部材の前記外部に露出した部分を、外力、雨水、埃等から保護することができる。
【００５２】
以上の本発明において、前記開閉体が前記巻取軸から繰り出され、巻き取られる前記シャッターカーテンである場合には、このシャッターカーテンは、複数種類のシャッターカーテン構成部材の複合により形成されていてもよく、これらの複数種類のシャッターカーテン構成部材は、スラットでもよく、シートでもよく、ネットでもよく、リンクで連結されたパイプ、パネル等でもよく、これらを複合したものでもよい。
【００５３】
また、本発明は、シャッターカーテンが巻取軸で巻き取られ、繰り出される各種のシャッター装置に適用することができ、その一例のシャッター装置は窓用シャッター装置であり、また、本発明は、出入口をシャッターカーテンで開閉する出入口用シャッター装置や、火災発生等の非常時等にシャッターカーテンが全閉位置に達することにより防災区画が形成される防災用シャッター装置等にも適用することができる。
【００５４】
また、本発明は、ロールブラインド装置、オーニング装置、防煙垂れ幕装置、オーバーヘッドドア（オーバースライディングドア）等にも適用することができる。
【００５５】
なお、本発明は、手動式巻取軸から電動式巻取軸に改修された各種シャッター装置、ロールブラインド装置、オーニング装置等にも適用することができる。
【発明の効果】
【００５６】
本発明によると、開閉機から延びる紐状部材の配線作業の容易化を図れるようになるという効果を得られる。
【図面の簡単な説明】
【００５７】
【図１】図１は、本発明の一実施形態が適用される電動式に改修される前の手動式の窓用シャッター装置の全体を示す正面図である。
【図２】図２は、図１で示されている手動式巻取軸の端部が支持部材である支持用ブラケットで支持されている構造を示す斜視図である。
【図３】図３は、図２の支持構造を示す分解斜視図である。
【図４】図４は、手動式巻取軸から改修される本実施形態に係る巻取軸である電動式巻取軸の構造を示す正断面図である。
【図５】図５は、電動式巻取軸における図４の右側の端部の支持用ブラケットによる支持構造を示す斜視図である。
【図６】図６は、図５の支持構造を示す分解斜視図である。
【図７】図７は、電動式巻取軸の内部に収納されていて、電動モータが構成要素となっている開閉機が、中間構成体を介して図４の左側の支持用ブラケットで支持されている構造を示す正面図である。
【図８】図８は、図７の支持構造を示す平面図である。
【図９】図９は、電動式巻取軸に改修された後の電動式開閉装置である窓用電動式シャッター装置の一部を示す正面図である。
【図１０】図１０は、図９のＳ１０−Ｓ１０線断面図である。
【図１１】図１１は、図７のＳ１１−Ｓ１１線断面図である。
【図１２】図１２は、図７のＳ１２−Ｓ１２線断面図である。
【図１３】図１３は、図４の左側の支持用ブラケット及び収納部材であるシャッターケースの部分拡大図である。
【図１４】図１４は、図４の右側の支持用ブラケット及びシャッターケースの部分拡大図である。
【図１５】図１５は、電動式巻取軸の両端部から延びる紐状部材である開閉機の電源線と切替部材のそれぞれを、第２孔から一旦突出（露出）させたときを示す図４と同様の図である。
【図１６】図１６は、図４の電動式巻取軸の左側の端部から延びる電源線を第２孔から一旦突出させたときを示す斜視図である。
【図１７】図１７は、図１６の第２孔から一旦突出させた電源線を第３孔に挿通させたときを示す斜視図である。
【図１８】図１８は、図４の電動式巻取軸の右側の端部から延びる切替部材を第２孔から一旦突出させたときを示す斜視図である。
【図１９】図１８は、図１８の第２孔から一旦突出させた切替部材を第３孔に挿通させたときを示す斜視図である。
【図２０】図２０は、図１３に示されている紐状部材である開閉機の電源線を案内するために支持用ブラケットとシャッターケースに設けられる案内部材の実施形態を示す正断面図である。
【図２１】図２１は、図２０の案内部材とは異なる別実施形態に係る案内部材の一部を第２孔に嵌入したときを示す正断面図である。
【図２２】図２２は、図２０及び図２１の案内部材とは異なるさらなる別実施形態に係る案内部材の斜視図である。
【図２３】図２３は、支持用ブラケットに形成された孔に図２２の案内部材の開口した部分を嵌入する作業状態を示す斜視図である。
【図２４】図２４は、図２１に示す第２孔に一部が嵌入した案内部材を、第３孔にも嵌入したときを示す図２１と同様の図である。
【図２５】図２５は、図１４に示されている紐状部材である開閉機のブレーキの切替部材を案内する案内部材を図２０の案内部材としたときを示す図２０と同様の図である。
【図２６】図２６は、図２５に示す第２孔に嵌入した案内部材を、図２１の案内部材としたときを示す図２１と同様の図である。
【図２７】図２７は、図２６に示す第２孔に一部が嵌入した案内部材を、第３孔にも嵌入したときを示す図２６と同様の図である。
【図２８】図２８は、図９で示されている中間構成体のうち、開閉機の側となっている第１中間物を構成するそれぞれの部材を示す分解斜視図である。
【図２９】図２９は、図９で示されている中間構成体のうち、支持用ブラケットの側となっている第２中間物を構成するそれぞれの部材を示す分解斜視図である。
【図３０】図３０は、第１中間物の正面図である。
【図３１】図３１は、第１中間物の側面図である。
【図３２】図３２は、第２中間物の正面図である。
【図３３】図３３は、第２中間物の側面図である。
【図３４】図３４は、図４の左側の支持用ブラケットに設けられている軸受け部を示す側面図である。
【図３５】図３５は、図３４の軸受け部に適用される部材であって、図２９で示されている第２中間物を構成するものとなっている部材を示す側面図である。
【発明を実施するための形態】
【００５８】
以下に本発明を実施するための形態を図面に基づいて説明する。図１には、本発明の一実施形態が適用される窓用シャッター装置の全体正面図が示されている。図１に示されているこの窓用シャッター装置は、本実施形態に係る電動式開閉装置である電動式シャッター装置に改修される前の手動式シャッター装置である。
【００５９】
図１の手動式の窓用シャッター装置は、障子１が配設された窓サッシよりも外側の建物外壁２の部分に設置され、この窓用シャッター装置の手動用シャッターカーテン３は、左右一対のガイドレール４に案内されて上下に開閉移動することにより、窓サッシの外側の窓用開口部を開閉する。この窓用開口部の上部には収納部材であるシャッターケース（言い換えると、シャッターボックス）５が配設され、このシャッターケース５の内部に水平に収納されている手動式巻取軸６にシャッターカーテン３の上端が連結されているとともに、この手動式巻取軸６は、左右一対の支持部材である支持用ブラケット７，８で回転自在に支持されている。
【００６０】
このように、本実施形態では、シャッターケース５は、手動式巻取軸６と、支持用ブラケット７，８を収納するものとなっており、後述するように、手動式巻取軸６を取り外した後に設置される内部に開閉機２１が収納された電動式巻取軸２０も、シャッターケース５に収納される。
【００６１】
なお、シャッターケース５は、上面部（天板部）と正面部と底面部（底板部）とを含んで構成される本体５Ａと、この本体５Ａの左右両端を塞いでいる左右一対の蓋部材５Ｂ，５Ｃと、を含んで構成されており、図１に示すように、蓋部材５Ｂがシャッターケース５の右側面部を、蓋部材５Ｃがシャッターケース５の左側面部を構成するものとなっている。また、シャッターケース５の本体５Ａは、前記窓用開口部の前記上部に取り付けられた状態で少なくとも底面部が取り外し可能となっている。
【００６２】
なお、シャッターケース５の左右の側面部は、本体５Ａとは別部材となっている蓋部材５Ｂ，５Ｃで構成するものではなく、本体５Ａと一体となっているものでもよい。すなわち、シャッターケース５は、上面部と、正面部と、下面部（底面部）と、左右の側面部と、を有する一体成形によるものとしてもよい。
【００６３】
シャッターカーテン３の下端の座板３Ａ等を手等による手動で押し上げると、シャッターカーテン３は巻取軸６に巻き取られて上方へ開き移動し、座板３Ａ等を押し下げると、シャッターカーテン３は巻取軸６から繰り出されて下方へ閉じ移動する。また、巻取軸６の内部には、シャッターカーテン３が巻取軸６から繰り出されるときに戻しばね力が蓄圧されるねじりコイルばねによる戻しばねが収納されており、このため、シャッターカーテン３が巻取軸６に巻き取られて上方へ開き移動することは、この戻しばねの戻しばね力によって補助されて行われる。
【００６４】
左右一対の支持用ブラケット７，８による巻取軸６の支持は、巻取軸６の軸方向両端の端部となっている軸部６Ａ，６Ｂが、これらのブラケット７，８に設けられている軸受け部９，１０で支持されることにより行われている。図２には、支持用ブラケット７，８のうち、一方のブラケット８の軸受け部１０による巻取軸６の軸部６Ｂの支持構造が示されており、他方のブラケット７及び軸受け部９と、この軸受け部９による巻取軸６の軸部６Ａの支持構造は、図２で示されているものと左右対称の同じものになっている。
【００６５】
次に、手動式巻取軸６の構造及び図２の支持構造を説明する。前述したように手動式巻取軸６の内部には、シャッターカーテン３が巻取軸６から繰り出されるときに戻しばね力が蓄圧される戻しばねが収納されているため、図２で示されている軸部６Ｂは、巻取軸６の内部に端部を残して挿入されている非回転軸のこの端部により形成され、この非回転軸との間に軸受け部材が介設されている巻取軸６は、この非回転軸を中心に回転自在となっている。また、この非回転軸又は上記軸部６Ａを形成している別の非回転軸には、巻取軸６の内部に収納されている戻しばねの一端が連結され、戻しばねの他端は巻取軸６に連結されている。このため、上述のように、シャッターカーテン３が巻取軸６から繰り出されるときには、巻取軸６の回転により戻しばねに戻しばね力が蓄圧され、シャッターカーテン３が巻取軸６に巻き取られるときの巻取軸６の回転は、戻しばね力によって補助される。
【００６６】
図２に示されているように、板金製のブラケット８は、ブラケット本体８Ａと、このブラケット本体８Ａの補強のためにも設けられている後端折曲部８Ｂと、下端折曲部８Ｃとを有するものとなっており、後端折曲部８Ｂが図１で示した建物外壁２にアンカー部材等の結合具で結合されることにより、ブラケット８は建物外壁２に固定されている。そして、ブラケット本体８Ａには、巻取軸６の軸部６Ｂを受けて支持するための上記軸受け部１０が設けられている。なお、左右のブラケット７，８の間（左右の下端折曲部の間）には、断面形状が略Ｌ字状となった補強部材（左右のブラケット本体７Ａ，８Ａの間隔と同じ長さ寸法を有する長尺の板材）を架設するようにしてもよい。
【００６７】
この軸受け部１０は、板金の折り曲げ品となっている１個の軸受け部材で形成されており、また、軸受け部１０は、軸受け部本体１６と、この軸受け部本体１６におけるブラケット本体８Ａの側から巻取軸６の外径方向に突出しているフランジ部１７とからなる。軸受け部本体１６は、底部１６Ａと、この底部１６Ａの両端から立ち上がった立上部１６Ｂ，１６Ｃとを有するため、上向きに開口したコ字形状となっている。また、フランジ部１７は、軸受け部本体１６の下部から、言い換えると底部１６Ａから下方へ突出する第１突出部１７Ａと、軸受け部本体１６の両側部から、言い換えると立上部１６Ｂ，１６Ｃから水平方向又は略水平方向に突出する２個の第２突出部１７Ｂ，１７Ｃとからなり、これらの第１及び第２突出部１７Ａ〜１７Ｃがブラケット本体８Ａに溶接又はリベット等の結合具で結合されることにより、上記軸受け部材によって形成されている軸受け部１０が支持用ブラケット８に設けられていることになる。
【００６８】
図３に示されているように、軸受け部本体１６の立上部１６Ｂ，１６Ｃと巻取軸６の軸部６Ｂには、孔１１〜１３が形成され、軸部６Ｂを軸受け部本体１６に挿入した後に、これらの孔１１〜１３にボルト１４を挿入し、立上部１６Ｃの孔１３から突出したボルト１４の軸端にナット１５を螺合することにより、手動式巻取軸６の端部を形成している軸部６Ｂは、非回転状態となって軸受け部１０の軸受け部本体１６で支持されることになる。
【００６９】
図４は、窓用手動式シャッター装置を窓用電動式シャッター装置に改修するために、手動式巻取軸６から交換される電動式巻取軸２０を示している。本発明の一実施形態に係る巻取軸となっているこの電動式巻取軸２０における支持用ブラケット８の側の端部２０Ｂの内部には、後述する本発明の一実施形態に係る開閉体となっている電動用シャッターカーテン３１を開閉移動させる開閉機２１が収納されている。この開閉機２１は、電動モータ２１Ｃと、この電動モータ２１Ｃを制動するためのブレーキ２１Ｄと、これら電動モータ２１Ｃの駆動制御とブレーキ２１Ｄのオン、オフの電気的制御を行う制御装置２１Ｂと、を含んで構成されている。
【００７０】
本実施形態における紐状部材となっている電源コードである電源線（アース線を含んでいてもよく、含んでいなくてもよい）３９は、開閉機２１を構成する上述した各装置に接続され、これらの装置に電源を供給するためのものとなっている。図４に示されているように、開閉機２１から延びている電源線３９は、電動式巻取軸２０における一方の端部である支持用ブラケット８側の端部２０Ｂから延びている。
【００７１】
開閉機２１のブレーキ２１Ｄは、後述するように、巻取軸２０が電動モータ２１Ｃの回転駆動力により回転してシャッターカーテン３１が全開位置や全閉位置に達したことが巻取軸２０の図示しない回転数検出センサ等で検出されて、この検出信号が、紐状部材となっている図示しない信号線を経由して制御装置２１Ｂに入力したときや、電動モータ２１Ｃの回転や停止を操作するための操作装置からの停止信号が前記信号線を経由してこの制御装置２１Ｂに入力したときに、電動モータ２１Ｃの出力部材の回転駆動を停止させて巻取軸２０を回転停止状態とするためのものである。
【００７２】
開閉機２１には、電動モータ２１Ｃの出力部材の回転駆動により回転するリング状の駆動部材２２が設けられ、この駆動部材２２の円周方向に複数形成されている溝２２Ａに、巻取軸２０の内面に設けられている突起２０Ａが挿入されているため、駆動部材２２と巻取軸２０は、巻取軸２０の回転方向に連結されている。このため、電動モータ２１Ｃの出力部材の回転駆動により駆動部材２２が回転すると、巻取軸２０は回転することになる。また、開閉機２１の外周には、巻取軸２０と一体となって回転するリング状の従動部材２３が嵌合され、電動モータ２１Ｃの回転駆動力による巻取軸２０の回転は、この従動部材２３が、巻取軸２０と開閉機２１との間の回転軸受け部材となって行われる。
【００７３】
一方、電動式巻取軸２０における支持用ブラケット７の側の端部の内部には、戻しばねユニット２４が挿入されている。この戻しばねユニット２４は、非回転の中心軸２５と、この中心軸２５に軸受け部材２６で回転自在に配置された２個のホイール部材２７と、これらのホイール部材２７の間に配設されたねじりコイルばねによる２個の戻しばね２８とを含んで構成されている。それぞれのホイール部材２７は巻取軸２０にリベット等で結合され、また、それぞれの戻しばね２８の一端は連結具２９Ａで中心軸２５に連結されているとともに、他端は連結具２９Ｂでそれぞれのホイール部材２７に連結されている。
【００７４】
このため、電動式巻取軸２０に後述する電動用シャッターカーテンの上端が連結された後に、この電動用シャッターカーテンを巻き取っている電動式巻取軸２０が、電動モータ２１Ｃの回転駆動力により非回転の中心軸２５を中心に回転して電動用シャッターカーテンが繰り出されたときには、戻しばね２８に戻しばね力が蓄圧され、この戻しばね力は、電動式巻取軸２０が電動モータ２１Ｃの回転駆動力により逆回転して電動用シャッターカーテンを巻き取るときに、補助力として利用される。
【００７５】
本実施形態では、図４に示されているように、中心軸２５の軸端部２５Ａは巻取軸２０から突出しており、このため、この軸端部２５Ａは、電動式巻取軸２０における支持用ブラケット７の側の端部を形成しており、また、この軸端部２５Ａは、手動式巻取軸６のときにも使用されていたこの支持用ブラケット７の軸受け部９で支持されている。そして、これらの軸端部２５Ａと軸受け部９は、図５及び図６で示されているように、図３及び図４で説明したと同様な構造により、ボルト１４及びナット１５により連結されている。
【００７６】
このため、本実施形態では、電動式巻取軸２０における支持用ブラケット７の側の端部を形成している中心軸２５の軸端部２５Ａを支持するためにも、窓用手動式シャッター装置における既存の支持用ブラケット７と、この支持用ブラケット７のブラケット本体７Ａに設けられている既存の軸受け部９が用いられている。
【００７７】
なお、既存の支持用ブラケット７のブラケット本体７Ａと中心軸２５の軸端部２５Ａとの間に、既存の軸受け部９によって邪魔されないでブラケット本体７Ａと中心軸２５の軸端部２５Ａとを連結するための中間構成体を介入してもよい。
【００７８】
図７には、図２及び図３で説明した支持用ブラケット８に、電動式巻取軸２０における支持用ブラケット８の側の端部２０Ｂを連結支持させるための構造が示されており、図７は、この構造の正面図であり、図８は、この構造の平面図である。電動式巻取軸２０におけるこの支持用ブラケット８の側の端部２０Ｂは、具体的な構造を後述する中間構成体３０により支持用ブラケット８のブラケット本体８Ａに連結支持されている。一層具体的には、電動式巻取軸２０の内部に収納固定されている開閉機２１における支持用ブラケット８の側の端部２１Ａは、この巻取軸２０から露出しており、電動モータ２１Ｃが構成要素となっている開閉機２１のこの端部２１Ａが、中間構成体３０により支持用ブラケット８のブラケット本体８Ａに連結支持されることにより、電動式巻取軸２０における支持用ブラケット８の側の端部２０Ｂと、支持用ブラケット８のブラケット本体８Ａとが、開閉機２１及び中間構成体３０を介して連結支持されている。
【００７９】
したがって、前述した手動式巻取軸６から電動式巻取軸２０に改修された後でも、既存の支持用ブラケット８がそのまま用いられており、また、この支持用ブラケット８に設けられている図２及び図３で示した軸受け部１０はそのまま残されている。そして、開閉機２１と支持用ブラケット８のブラケット本体８Ａとを連結するための中間構成体３０は、後述の説明から分かるように、軸受け部１０に邪魔されずに開閉機２１と支持用ブラケット８のブラケット本体８Ａとの間に介入されている。
【００８０】
図９には、手動式巻取軸６から電動式巻取軸２０に改修された後の窓用電動式シャッター装置の正面図が示されており、本実施形態では、手動式巻取軸６から電動式巻取軸２０に改修されるときに、図１で示した手動用シャッターカーテン３は図９で示した電動用シャッターカーテン３１に改修されている。電動式巻取軸２０に上端が連結されているこの電動用シャッターカーテン３１の左右両端部は、図１で示した左右一対のガイドレール４に上下スライド自在に挿入され、このシャッターカーテン３１は、電動式巻取軸２０による巻き取り、繰り出しにより、これらのガイドレール４で案内されて上下方向に開閉移動する。そして、シャッターカーテン３１の全体は、座板等の付属的部材を除き、多数のスラット３２を上下に連設することにより形成されている。
【００８１】
図１０は、図９のＳ１０−Ｓ１０線断面図であり、この図１０に示されているように、それぞれのスラット３２の上下両端にはカール部３３が形成され、上側のスラット３２Ａの下端カール部３３Ａと、下側のスラット３２Ｂの上端カール部３３Ｂとが係合することにより、これらのスラット３２Ａ，３２Ｂは回動自在に連結されている。そして、それぞれのカール部３３は左右方向へ同一断面形状が連続するものとなっているため、左右一対のガイドレール４から外れた箇所では、すなわち、図５で示されているシャッターケース５の内部の箇所では、それぞれのスラット３２は左右方向にスライドするおそれのある状態になっている。
【００８２】
なお、図１で示した手動用シャッターカーテン３の少なくとも一部が、複数のスラットの連設で形成されているときには、本実施形態に係る上述の中間構成体３０は、手動式巻取軸６から電動式巻取軸２０に改修された後にこの手動用シャッターカーテン３を電動用シャッターカーテンとして用いる場合にも、適用することができる。
【００８３】
すなわち、少なくとも一部がスラットの連設で形成されている既存の手動用シャッターカーテン３を電動用シャッターカーテンとして用いる場合にも、本実施形態に係る中間構成体３０は適用することができる。
【００８４】
図４に示されているように、開閉機２１からはワイヤー等による紐状部材３５が延びており、この紐状部材３５は、中空部材となっている前述の中心軸２５の一方の端部からこの中心軸２５の内部に挿通されている。
【００８５】
そして、この紐状部材３５は、電動モータ２１Ｃと共に開閉機２１の構成要素となっている前述のブレーキ２１Ｄを、電動式巻取軸２０の回転が停止しているときに、オン、オフ切り替え操作するための切替部材３５となっている。すなわち、ブレーキ２１Ｄがオンとなっているために電動式巻取軸２０の回転が停止している電動用シャッターカーテン３１の全開時や全閉時等において、例えば、停電になった場合に、切替部材３５が１回引っ張り操作されると、ブレーキ２１Ｄはオフとなるため、巻取軸が手動式巻取軸６から電動式巻取軸２０に改修されていても、この電動式巻取軸２０は自由回転可能状態となり、このため、電動用シャッターカーテン３１を手動により開閉移動させることができる。また、切替部材３５がもう１回引っ張り操作されると、ブレーキ２１Ｄはオンとなるため、開閉機２１は上述の引っ張り操作前の状態に戻り、電動式巻取軸２０は自由回転不能状態となって、電動用シャッターカーテン３１を手動により開閉移動させることはできなくなる。
【００８６】
なお、紐状部材を引っ張り操作することで開閉機のブレーキをオン、オフできるようにするための機構は、既に周知となっている。例えば、特開２００４−２７８４１号公報には、紐状部材を引っ張り操作することにより、モータの駆動力を巻取軸に伝達するためのクラッチ機構が切断、連結する機構が開示されており、本実施形態も、これと同様の機構を備えたものとなっている。このため、上述した紐状部材である切替部材３５を引っ張り操作することで開閉機２１のブレーキ２１Ｄをオン、オフできるようにするための機構についての詳細な説明は省略する。
【００８７】
図５及び図６から分かるように、軸受け部９は、軸受け部１０と同様に、軸受け部本体１８と、この軸受け部本体１８におけるブラケット本体７Ａの側から巻取軸２０の外径方向に突出しているフランジ部１９とからなる。軸受け部本体１８は、底部１８Ａと、この底部１８Ａの両端から立ち上がった立上部１８Ｂ，１８Ｃとを有するため、上向きに開口したコ字形状となっている。また、フランジ部１９は、軸受け部本体１８の下部から、言い換えると底部１８Ａから下方へ突出する第１突出部１９Ａと、軸受け部本体１８の両側部から、言い換えると立上部１８Ｂ，１８Ｃから水平方向又は略水平方向に突出する２個の第２突出部１９Ｂ，１９Ｃとからなり、これらの第１及び第２突出部１９Ａ〜１９Ｃがブラケット本体７Ａに溶接又はリベット等の結合具で結合されることにより、上記軸受け部材によって形成されている軸受け部９が支持用ブラケット７に設けられていることになる。
【００８８】
図１３は、図４で示されている左側の支持用ブラケット８及びシャッターケース５の蓋部材５Ｃの部分拡大図である。この図１３に示すように、支持用ブラケット８のブラケット本体８Ａには、電源線３９が挿通される円形状又は略円形状の孔３４が形成されており、また、シャッターケース５の左側面部を構成する蓋部材５Ｃにおける前記孔３４と対面する位置には、この孔３４と同じ又は略同じ直径寸法を有する孔５Ｇが形成されている。この孔５Ｇの中心位置は、孔３４の中心位置と一致又は略一致しており、また、孔５Ｇの直径寸法は、孔３４の直径寸法と同じ又は略同じとなっている。また、図４に示す蓋部材５Ｃを簡略化して示した斜視図である図１７（支持用ブラケット８等の表示は省略）にも示されているように、蓋部材５Ｃにおける孔５Ｇからシャッターカーテン３１の閉じ移動方向である下方向に離間した箇所には、円形状又は略円形状の孔５Ｈが形成されている。なお、孔５Ｈの直径寸法は、図１３にも示されているように孔５Ｇの直径寸法よりも小さくなっていてもよく、孔５Ｇの直径寸法と同じ又は略同じとなっていてもよい。
【００８９】
図１３に示されているように、電源線３９は、ブラケット本体８Ａの孔３４と蓋部材５Ｃの孔５Ｇとに挿通されて蓋部材５Ｃの外部に突出された後、この蓋部材５Ｂの孔５Ｈに挿通されている。そして、この孔５Ｈに挿通された電源線３９は、図１３に示すように、ブラケット本体８Ａと蓋部材５Ｃとの間に形成された隙間部Ｓ２を通過した後、図４及び図１７に示すように、蓋部材５Ｃの下面部（底面部）５Ｋに形成されたシャッターカーテン３１の厚さ方向である前後方向に長い開口部５Ｊから露出（突出）される。これ以後の電源線３９の配線状態は、電源線３９の終端部が、屋外又は屋内に配置された電源コンセントに接続されるものとなる。
【００９０】
このため、本実施形態では、支持用ブラケット８のブラケット本体８Ａに形成されている孔３４は第１孔となっており、シャッターケース５の蓋部材５Ｃに形成されている孔５Ｇは第２孔となっており、シャッターケース５の蓋部材５Ｃに形成されている孔５Ｈは第３孔となっている。
【００９１】
このように、本実施形態では、電源線３９が、ブラケット本体８Ａの孔３４と蓋部材５Ｃの孔５Ｇとに挿通されて蓋部材５Ｃの外部に突出され、かつ、蓋部材５Ｂの孔５Ｈに挿通されてブラケット本体８Ａと蓋部材５Ｃとの間に形成された隙間部Ｓ２を通過している配線構造となっている。
【００９２】
図１１及び図１２は、図７のＳ１１−Ｓ１１線及びＳ１２−Ｓ１２線での断面図である。図１１で示されている電源線３９を通すために支持用ブラケット８のブラケット本体８Ａに形成されている上記孔３４は、図１２に示されているように、ブラケット本体８Ａにおける電源線３９が軸受け部１０に邪魔されない箇所となっているため、電源線３９は、この軸受け部１０と干渉することなく、すなわち、軸受け部１０に邪魔されることなく配線されている。
【００９３】
また、図５及び図６から分かるように、支持用ブラケット７のブラケット本体７Ａにおける軸受け部本体１８の底部１８Ａと立上部１８Ｂ，１８Ｃとで囲まれた箇所のうち、電動式巻取軸２０の延長軸線と一致又は略一致している箇所には、円形状又は略円形状の孔３６が形成されている。
【００９４】
この支持用ブラケット７は、上述した中間構成体３０が設けられている、あるいは設けられていない支持用ブラケット８とは電動式巻取軸２０の軸方向の反対側に配置されている支持用ブラケットであり、この支持用ブラケット７に孔３６が形成されている箇所は、支持用ブラケット７のブラケット本体７Ａに設けられている前述の軸受け部９に邪魔されない箇所となっている。中心軸２５の内部に挿通されてさらにこの中心軸２５の他方の端部から突出した切替部材３５は、孔３６に通されているため、切替部材３５は、軸受け部９と干渉することなく、言い換えると、軸受け部９に邪魔されることなく配線されている。
【００９５】
図１４は、図１３と同様に、図４で示されている右側の支持用ブラケット７及びシャッターケース５の蓋部材５Ｂの部分拡大図である。この図１４に示すように、シャッターケース５の右側面部を構成する蓋部材５Ｂにおけるブラケット本体７Ａの孔３６と対面する位置には、この孔３６と同じ又は略同じ直径寸法を有する孔５Ｅが形成されている。この孔５Ｅの中心位置は、孔３６の中心位置と一致又は略一致しており、また、孔５Ｅの直径寸法は、孔３６の直径寸法と同じ又は略同じとなっている。また、図４に示す蓋部材５Ｂを簡略化して示した斜視図である図１９（支持用ブラケット７等の表示は省略）にも示されているように、蓋部材５Ｂにおける孔５Ｅからシャッターカーテン３１の閉じ移動方向である下方向に離間した箇所には、孔５Ｆが形成されている。なお、孔５Ｆの直径寸法は、図１４にも示されているように孔５Ｅの直径寸法よりも小さくなっていてもよく、孔５Ｅの直径寸法と同じ又は略同じとなっていてもよい。
【００９６】
切替部材３５は、上述したようにブラケット本体７Ａの孔３６と蓋部材５Ｂの孔５Ｅとに挿通されて蓋部材５Ｂの外部に突出された後、この蓋部材５Ｂの孔５Ｈに挿通されている。そして、この孔５Ｆに挿通された切替部材３５は、図１４に示すように、ブラケット本体７Ａと蓋部材５Ｂとの間に形成された隙間部Ｓ１を通過した後、図４及び図１９に示すように、蓋部材５Ｂの下面部（底面部）５Ｌに形成されたシャッターカーテン３１の厚さ方向である前後方向に長い開口部５Ｉから露出（突出）される。これ以後の切替部材３５の配線状態は、切替部材３５の終端部が、左右一対のガイドレール４のうちの一方に配置された引張操作部材３８に連結されるものとなる。このため、この引張操作部材３８を引っ張り操作することにより、切替部材３５を介して開閉機２１のブレーキ２１Ｄがオン、オフ切り替えることになる。
【００９７】
このため、本実施形態では、支持用ブラケット７のブラケット本体７Ａに形成されている孔３６は第１孔となっており、シャッターケース５の蓋部材５Ｂに形成されている孔５Ｅは第２孔となっており、シャッターケース５の蓋部材５Ｂに形成されている孔５Ｆは第３孔となっている。
【００９８】
このように、本実施形態では、電源線３９が、ブラケット本体８Ａの孔３４と蓋部材５Ｃの孔５Ｇとに挿通されて蓋部材５Ｃの外部に突出され、かつ、蓋部材５Ｂの孔５Ｈに挿通されてブラケット本体８Ａと蓋部材５Ｃとの間に形成された隙間部Ｓ２を通過している配線構造となっている。
【００９９】
本実施形態では、開閉機２１から延びる電源線３９の配線作業は、巻取軸２０の軸方向の両端部を軸受け部９，１０に支持させる作業の際に行われるが、この電源線３９の終端部を、ブラケット本体８Ａの孔３４と蓋部材５Ｃの孔５Ｇとに挿通した後、直ちに（直接的に）蓋部材５Ｃの孔５Ｈに挿通するものではなく、図１５及び図１６（支持用ブラケット８等の表示は省略）に示されているように、電源線３９を、ブラケット本体８Ａの孔３４と蓋部材５Ｃの孔５Ｇとに挿通してシャッターケース５の蓋部材５Ｃの外部に一旦突出（露出）させるものとなっている。なお、この後の配線作業を考慮して、蓋部材５Ｃの外部に一旦突出させる電源線３９の突出量は、できるだけ大きい（多い）ほうが好ましい。すなわち、電源線３９は、蓋部材５Ｃの外部に突出させるだけ突出させることが好ましい。
【０１００】
また、開閉機２１から延びる切替部材３５の配線作業も、電源線３９と同様に、巻取軸２０の軸方向の両端部を軸受け部９，１０に支持させる作業の際に行われる。このとき、切替部材３５の終端部を、ブラケット本体７Ａの孔３６と蓋部材５Ｂの孔５Ｅとに挿通した後、直ちに（直接的に）蓋部材５Ｂの孔５Ｆに挿通するものではなく、図１５及び図１８（支持用ブラケット７等の表示は省略）に示されているように、切替部材３５をブラケット本体７Ａの孔３６と蓋部材５Ｂの孔５Ｅとに挿通してシャッターケース５の蓋部材５Ｂの外部に一旦突出（露出）させるものとなっている。なお、上述した電源線３９の場合と同様に、この後の配線作業を考慮して、蓋部材５Ｂの外部に一旦突出させる切替部材３５の突出量は、できるだけ大きい（多い）ほうが好ましい。すなわち、切替部材３５は、蓋部材５Ｂの外部に突出させるだけ突出させることが好ましい。
【０１０１】
巻取軸２０の軸方向の両端部を軸受け部９，１０に支持させる作業と、上述したように、電源線３９と切替部材３５をシャッターケース５の蓋部材５Ｃ，５Ｂから一旦突出させる作業が終了した後は、以下の配線作業を行う。
【０１０２】
図１６及び図１７から分かるように、蓋部材５Ｃから突出している電源線３９の終端部を蓋部材５Ｃの孔５Ｈに挿通し、この蓋部材５Ｃから突出している電源線３９を、ブラケット本体８Ａと蓋部材５Ｃとの間の形成された図１３に示す前記隙間部Ｓ２を通過させ、蓋部材５Ｃの前記下面部（底面部）５Ｋに形成されたシャッターカーテン３１の厚さ方向である前後方向に長い前記開口部５Ｊから露出（突出）させる。これ以後の電源線３９の配線作業は、前述したように、電源線３９の終端部を、屋外又は屋内に配置された電源コンセントに接続させるものとなる。
【０１０３】
また、図１８及び図１９から分かるように、蓋部材５Ｂから突出している切替部材３５の終端部を蓋部材５Ｂの孔５Ｆに挿通し、この蓋部材５Ｂから突出している切替部材３５を、ブラケット本体７Ａと蓋部材５Ｂとの間の形成された図１４に示す前記隙間部Ｓ１を通過させ、蓋部材５Ｂの前記下面部（底面部）５Ｌに形成されたシャッターカーテン３１の厚さ方向である前後方向に長い前記開口部５Ｉから露出（突出）させる。これ以後の切替部材３５の配線作業は、前述したように、切替部材３５の終端部を、左右一対のガイドレール４のうちの一方に配置された引張操作部材３８に連結させるものとなる。
【０１０４】
なお、電源線３９の上記配線作業が終了した後、図４に示されているように、蓋部材５Ｃには、電源線３９のうちの蓋部材５Ｃから露出している部分３９Ａ（図１３や図１７も参照）を覆うためのカバー部材である下向きに開口したキャップ部材４０を取り付ける。また、切替部材３５の上記配線作業が終了した後、図４に示されているように、蓋部材５Ｂには、切替部材３５のうちの蓋部材５Ｂから露出している部分３５Ａ（図１４や図１９も参照）を覆うためのカバー部材である下向きに開口したキャップ部材３７を取り付ける。
【０１０５】
なお、本実施形態において、ワイヤー等で形成されている切替部材３５の外側は、中空部材で覆うようにしてもよい。言い換えると、切替部材３５はインナーワイヤーとし、この切替部材３５の外側はアウターワイヤーで覆うようにしてもよい。
【０１０６】
なお、図１３に示すように、円形又は略円形となっている蓋部材５Ｃの孔５Ｇ（図１６や図１７も参照）の直径寸法は、円形又は略円形となっているブラケット本体８Ａの孔３４の直径寸法と同じ又は略同じとなっているが、蓋部材５Ｃの孔５Ｇの直径寸法は、ブラケット本体８Ａの孔３４の直径寸法よりも大きくするようにしてもよい。
【０１０７】
作業者は、電源線３９をブラケット本体８Ａの孔３４に挿通した後、さらに蓋部材５Ｃの孔５Ｇに挿通することになるが、この電源線３９の挿通作業は、巻取軸２０を支持用ブラケット７，８に支持させる作業と同時に行うため、ブラケット本体８Ａの孔３４の後方にある蓋部材５Ｃの孔５Ｇは見えにくく、ブラケット本体８Ａの孔３４に挿通した電源線３９の終端部を、蓋部材５Ｃの孔５Ｇに目がけて挿通することは容易ではない。
【０１０８】
しかし、蓋部材５Ｃの孔５Ｇの直径寸法をブラケット本体８Ａの孔３４の直径寸法よりも大きくすることにより、ブラケット本体８Ａの孔３４に挿通した電源線３９の終端部を蓋部材５Ｃの孔５Ｇに目がけて挿通する必要はほとんどなくなる。すなわち、ブラケット本体８Ａの孔３４に挿通した電源線３９の終端部を蓋部材５Ｃの側の方向へ送り出すだけで、この電源線３９の終端部を蓋部材５Ｃの孔５Ｇに容易に挿通させることが可能となる。
【０１０９】
また、図１４に示すように、円形又は略円形となっている蓋部材５Ｂの孔５Ｅ（図１８や図１９も参照）の直径寸法も、円形又は略円形となっているブラケット本体７Ａの孔３６の直径寸法と同じ又は略同じとなっているが、上述したのと同様の理由により、蓋部材５Ｂの孔５Ｅの直径寸法は、ブラケット本体７の孔３６の直径寸法よりも大きくするようにしてもよい。
【０１１０】
上述したように、電動式巻取軸２０の回転が停止しているときに、開閉機２１のブレーキ２１Ｄをオン、オフ切り替え操作するための切替部材３５は、電動式巻取軸２０の内部において、軸受け部９に干渉されることなく、電動式巻取軸２０の軸方向（左右方向）にスムーズにスライド動作する。
【０１１１】
このため、本実施形態によると、既存の支持用ブラケット７や軸受け部９を残しても、電動式巻取軸２０の回転が停止しているときには、切替部材３５による開閉機２１のブレーキ２１Ｄのオン、オフ切り替え操作が円滑に行われる。
【０１１２】
なお、図面では示されていないが、手動式巻取軸６から電動式巻取軸２０に改修するときには、電動用シャッターカーテン３１を遠隔操作により開き移動、閉じ移動、移動停止させることができるようにするために、本実施形態に係る電動式窓用シャッター装置には、電動式巻取軸２０を正回転、逆回転、回転停止させるための「開」、「閉」、「停」のそれぞれのボタンが設けられている操作装置が追加される。
【０１１３】
この操作装置は、電源線３９と同様に紐状部材となっている電気コードである図示されない前記信号線によって、開閉機２１の電動モータ２１Ｃの駆動制御やブレーキ２１Ｄの動作制御をするための上述した制御装置２１Ｂと接続されているもの（有線方式で接続されるもの）であるが、操作装置は、制御装置２１Ｂと無線方式で接続されるものとしてもよい。
【０１１４】
なお、前記信号線は、図４に示すように、電源線３９と同様に、電動式巻取軸２０の両端部のうちの一方の端部（支持用ブラケット８側の端部）を形成している開閉機２１の端部２１Ａから延ばした（導出させた）後、ブラケット本体８Ａの孔３４と蓋部材５Ｃの孔５Ｇとに挿通して蓋部材５Ｃの外部に一旦突出させ、この後、前記信号線を、蓋部材５Ｃの孔５Ｈに挿通してブラケット本体８Ａと蓋部材５Ｃの間の隙間部Ｓ２（図１３参照）を通過させるようにしてもよい。また、前記信号線は、図４に示すように、切替部材３５と同様に、電動式巻取軸２０の両端部のうちの他方の端部（支持用ブラケット７側の端部）を形成している軸端部２５Ａから延ばした後、ブラケット本体７Ａの孔３６と蓋部材５Ｂの孔５Ｅとに挿通して蓋部材５Ｂの外部に一旦突出させ、この後、前記信号線を、蓋部材５Ｂの孔５Ｆに挿通してブラケット本体７Ａと蓋部材５Ｂの間の隙間部Ｓ１（図１４参照）を通過させるようにしてもよい。
【０１１５】
以上説明したように、本実施形態に係る電動式シャッター装置では、開閉機２１から延びる紐状部材である切替部材３５と電源線３９は、支持用ブラケット７，８のブラケット本体７Ａ，８Ａに形成された第１孔である孔３６，３４と、シャッターケース５の蓋部材５Ｂ，５Ｃに形成された第２孔である孔５Ｅ，５Ｇと、に挿通されて蓋部材５Ｂ，５Ｃの外部に突出（露出）され、かつ、蓋部材５Ｂ，５Ｃに形成された第３孔である孔５Ｆ，５Ｈに挿通されてブラケット本体７Ａ，８Ａと蓋部材５Ｂ，５Ｃとの間に形成された隙間部Ｓ１，Ｓ２を通過する配線構造となっている。
【０１１６】
図１３及び図１４に示すように、ブラケット本体７Ａ，８Ａと蓋部材５Ｂ，５Ｃとの間隔は狭くなっており、切替部材３５と電源線３９が、ブラケット本体７Ａ，８Ａに形成された前記孔３６，３４に挿通され、かつ、直接的に前記隙間部Ｓ１，Ｓ２を通過する配線構造となっている場合には、切替部材３５と電源線３９は、孔３６，３４から隙間部Ｓ１，Ｓ２へ垂直方向（下方向）に折れ曲がって配線されることになるため、切替部材３５と電源線３９が隙間部Ｓ１，Ｓ２に配線される途中において、あるいは、切替部材３５と電源線３９が隙間部Ｓ１、Ｓ２に配線された後において、開閉機２１から延びる切替部材３５と電源線３９がこの開閉機２１とブラケット本体７Ａ，８Ａの間で絡まった場合には、この絡まりをほどく作業は容易ではない。
【０１１７】
これに対して、本実施形態では、上述したように、切替部材３５と電源線３９は、ブラケット本体７Ａ，８Ａの孔３６，３４と蓋部材５Ｂ，５Ｃの孔５Ｅ，５Ｇとに挿通されて蓋部材５Ｂ，５Ｃの外部に突出（露出）され、かつ、蓋部材５Ｂ，５Ｃの孔５Ｆ，５Ｈに挿通されてブラケット本体７Ａ，８Ａと蓋部材５Ｂ，５Ｃとの間に形成された隙間部Ｓ１，Ｓ２を通過する配線構造となっている。
【０１１８】
これにより、図１３及び図１４に示すように、切替部材３５と電源線３９の一部が蓋部材５Ｂ，５Ｃの外部に露出した状態となるため、切替部材３５と電源線３９が隙間部Ｓ１，Ｓ２に配線される途中において、あるいは、切替部材３５と電源線３９が隙間部Ｓ１，Ｓ２に配線された後において、開閉機２１から延びる切替部材３５と電源線３９がこの開閉機２１とブラケット本体７Ａ，８Ａとの間で絡まった場合には、作業者は、切替部材３５及び／又は電源線３９のうちの蓋部材５Ｂ，５Ｃの外部に露出した部分３５Ａ（図１４参照），３９Ａ（図１３参照）を引っ張り操作等することで切替部材３５と電源線３９の絡まりをほどく作業を容易に行うことができる。
【０１１９】
このため、本実施形態によると、切替部材３５と電源線３９が、ブラケット本体７Ａ，８Ａに形成された孔３６，３４に挿通され、かつ、直接的に前記隙間部Ｓ１、Ｓ２を通過する配線構造とした場合と比較して、配線作業が容易となる。
【０１２０】
このように、本実施形態に係る電動式シャッター装置の配線構造によると、開閉機２１から延びる切替部材３５と電源線３９の配線作業の容易化が図れるようになる。
【０１２１】
また、以上説明したように、本実施形態に係る電動式シャッター装置では、開閉機２１が収納された巻取軸２０の軸方向の両端部を支持用ブラケット７，８に支持させるときに、開閉機２１から延びる切替部材３５と電源線３９を、ブラケット本体７Ａ，８Ａの孔３６，３４と蓋部材５Ｂ，５Ｃの孔５Ｅ，５Ｇとに挿通して蓋部材５Ｂ，５Ｃの外部に一旦突出させる作業工程と、蓋部材５Ｂ，５Ｃの外部に一旦突出させた切替部材３５と電源線３９を、蓋部材５Ｂ，５Ｃの孔５Ｆ，５Ｈに挿通して前記隙間部Ｓ１，Ｓ２を通過させる作業工程と、を含む配線方法となっている。
【０１２２】
前述したように、ブラケット本体７Ａ，８Ａと蓋部材５Ｂ，５Ｃとの間隔は狭くなっており、開閉機２１が収納された巻取軸２０を支持用ブラケット７，８に支持させるときに、切替部材３５と電源線３９を、ブラケット本体７Ａ，８Ａの孔３６，３４に挿通するとともにこれらの切替部材３５と電源線３９を直接的に前記隙間部Ｓ１，Ｓ２に配線する作業を行うことは容易ではない。
【０１２３】
また、前述したように、切替部材３５と電源線３９をこのように配線することにより、切替部材３５と電源線３９は、ブラケット本体７Ａ，８Ａの孔３６，３４から前記隙間部Ｓ１，Ｓ２へ垂直方向に折れ曲がって配線されることになるため、切替部材３５と電源線３９を前記隙間部Ｓ１，Ｓ２に配線する途中において、あるいは、切替部材３５と電源線３９を前記隙間部Ｓ１，Ｓ２に配線した後において、開閉機２１から延びる切替部材３５と電源線３９がこの開閉機２１とブラケット本体７Ａ，８Ａとの間で絡まった場合には、この絡まりをほどく作業は容易ではない。
【０１２４】
これに対して、本実施形態は、開閉機２１が収納された巻取軸２０を支持用ブラケット７，８に支持させるときに、切替部材３５と電源線３９を、ブラケット本体７Ａ，８Ａの孔３６，３４と蓋部材５Ｂ，５Ｃの孔５Ｅ，５Ｇとに挿通して蓋部材５Ｂ，５Ｃ外部に一旦突出させる作業工程が実施される。
【０１２５】
そして、開閉機２１が収納された巻取軸２０を支持用ブラケット７，８に支持させた後は、蓋部材５Ｂ，５Ｃの外部に一旦突出させた切替部材３５と電源線３９を、蓋部材５Ｂ，５Ｃの孔５Ｆ，５Ｈに挿通して前記隙間部Ｓ１，Ｓ２を通過させる作業工程が実施される。
【０１２６】
これにより、作業者は、開閉機２１が収納された巻取軸２０を支持用ブラケット７，８に支持させた後は、蓋部材５Ｂ，５Ｃの外部に一旦突出させた切替部材３５と電源線３９を、蓋部材５Ｂ，５Ｃの孔５Ｆ，５Ｈに挿通して前記隙間部Ｓ１，Ｓ２を通過させる作業を行うことに専念できるようになる。
【０１２７】
また、これにより、切替部材３５と電源線３９の一部が蓋部材５Ｂ，５Ｃの外部に露出した状態となるため、開閉機２１が収納された巻取軸２０を支持用ブラケット７，８に支持させた後、切替部材３５と電源線３９を前記隙間部Ｓ１，Ｓ２に配線する途中において、あるいは、切替部材３５と電源線３９を前記隙間部Ｓ１，Ｓ２に配線した後において、開閉機２１から延びる切替部材３５と電源線３９がこの開閉機２１とブラケット本体７Ａ，８Ａとの間で絡まった場合には、前記作業者は、切替部材３５及び／又は電源線３９のうちの蓋部材５Ｂ，５Ｃの外部に露出した部分３５Ａ（図１４参照），３９Ａ（図１３参照）を引っ張り操作等することで切替部材３５と電源線３９の絡まりをほどく作業を容易に行うことができる。
【０１２８】
このため、本実施形態によると、開閉機２１が収納された巻取軸２０を支持用ブラケット７，８に支持させるときに、切替部材３５と電源線３９を、ブラケット本体７Ａ，８Ａの孔３６，３４に挿通するとともにこれらの切替部材３５と電源線３９を直接的にブラケット本体７Ａ，８Ａと蓋部材５Ｂ，５Ｃとの間に形成された隙間部Ｓ１，Ｓ２に配線する場合と比較して、配線作業が容易となる。
【０１２９】
このように、本実施形態に係る電動式シャッター装置の配線方法によると、開閉機２１から延びる切替部材３５と電源線３９の配線作業の容易化が図れるようになる。
【０１３０】
図２０と図２１は、図１３で示した紐状部材である電源線３９を、支持用ブラケット８のブラケット本体８Ａの第１孔及び蓋部材５Ｃの第２孔，第３孔に通すことに関する別実施形態を示している。なお、図２０に示されている実施形態では、第１孔である孔３４と、第２孔である５Ｇと、第３孔である１０５Ｈは、全て同じ又は略同じ直径寸法を有している。また、図２１に示されている実施形態では、第１孔である孔１３４と、第２孔である孔１０５Ｇと、第３孔である孔２０５Ｈは、全て同じ又は略同じ直径寸法を有しているが、これらの直径寸法は、図２０に示す各孔の直径寸法よりも大きいものとなっている。
【０１３１】
図２０の実施形態では、金属製のブラケット本体８Ａの孔３４に、このブラケット本体８Ａの材料である金属よりも軟質のゴムや合成樹脂等の材料で形成された短寸の案内部材８３を嵌入し、金属性の蓋部材５Ｃの孔５Ｇ，１０５Ｈにも、前記案内部材８３を嵌入し、これらの案内部材８３の内部孔８３Ａに電源線３９を挿通している。
【０１３２】
これによると、電源線３９をブラケット本体８Ａ及び蓋部材５Ｃに挿通するときに、この電源線３９が金属製の支持用ブラケット８の孔３４及び蓋部材５Ｃの孔５Ｇ，１０５Ｈで擦れて損傷することを、案内部材８３により防止することができる。
【０１３３】
図２１の実施形態では、図２０の実施形態において蓋部材５Ｃの第２孔である孔５Ｇに嵌入していた案内部材８３の代わりに、図２１に示す第２孔である孔１０５Ｇに挿通した後の電源線３９の配線方向のうちの一方向であるシャッターカーテンの閉じ移動である下方向に湾曲した湾曲部８４Ａを有している長寸の案内部材８４の一部を嵌入し、止め具８５により、この案内部材８４を蓋部材５Ｃに止めている。なお、図２１に示す第１孔である孔１３４と第３孔である孔２０５Ｈには、これらに適合する案内部材１８３（図２０に示す案内部材８３と同様の形状を有するもの）が嵌入されている。
【０１３４】
この実施形態によると、案内部材８４の湾曲部８４Ａによる湾曲案内作用により、案内部材８４の内部孔８４Ｂに水平方向に挿通した後の電源線３９を蓋部材５Ｃの外部に下方向に湾曲させて一旦突出させることができる。
【０１３５】
なお、この案内部材８４は、図２０の案内部材８３と同様に、金属よりも軟質のゴムや合成樹脂等の材料で形成してもよい。
【０１３６】
図２２は、図２０及び図２１に示す案内部材８３，８４とは異なるさらなる別実施形態に係る長寸の案内部材８６の長手方向の途中部を破断した斜視図である。図２２に示すように、案内部材８６は、ブラケット本体７Ａ，８Ａや蓋部材５Ｂ，５Ｃよりも軟質の材料である軟質のゴムや合成樹脂等の材料で形成されており、長手方向全長に渡って開口した部分８６Ａを有する断面略コ字状となっている。また、この案内部材８６の長さ寸法はＬとなっており、この長さ寸法Ｌは、ブラケット本体８Ａの孔３４の周寸法と同じ又は略同じとなっている。
【０１３７】
前述した図２０及び図２１に示す案内部材８３，８４と同様に、この案内部材８６の設置は、ブラケット本体８Ａの孔３４に嵌入することにより行われる。
【０１３８】
図２３は、案内部材８６をブラケット本体８Ａの孔３４に嵌入している作業状態を示す斜視図である。この図２３に示すように、案内部材８６の設置作業は、案内部材８６の長手方向の両端部８６Ｃ，８６Ｄのうちの一方の端部８６Ｃの開口した部分８６Ａから孔３４の縁部３４Ａに沿って嵌入し、案内部材８６の長手方向の他方の端部８６Ｄの開口した部分８６Ａが孔３４の縁部３４Ａに嵌入した時点で終了する。上述したように、案内部材８６の長さ寸法Ｌは孔３４の周寸法と同じ又は略同じとなっているため、案内部材８６の長手方向の他方の端部８６Ｄの開口した部分８６Ａが孔３４の縁部３４Ａに嵌入したとき、案内部材８６の長手方向の両端部８６Ｃ，８６Ｄの端面同士が接触した状態又は略接触した状態となる。これにより、孔３４の内周面（孔３４の縁部３４Ａを含む）は、軟質の材料で形成された案内部材８６によって覆われた状態となる。
【０１３９】
なお、案内部材８６の設置作業は、案内部材８６の長手方向の両端部８６Ｃ，８６Ｄの端面同士を、開口した部分８６Ａが外向き（言い換えると、底部８６Ｂが内向き）となるように接着し、この案内部材８６を環状（リング状）とした後、この環状となった案内部材８６を変形させながら、開口した部分８６Ａをブラケット本体８Ａの孔３４に縁部３４Ａに嵌入するようにしてもよい。
【０１４０】
なお、蓋部材５Ｃの孔５Ｇ，５Ｈ、支持用ブラケット７のブラケット本体７Ａの孔３６、蓋部材５Ｂの孔５Ｅ，５Ｆにも、上記案内部材８６（長さ寸法Ｌは、各孔の周寸法と同じ又は略同じとなっているもの）を嵌入するようにしてもよい。
【０１４１】
図２４は、図２１の孔１０５Ｇに一部が嵌入されている案内部材８４と同じものを、孔２０５Ｈにも嵌入した実施形態を示す図である。
【０１４２】
前述したように、孔２０５Ｈの直径寸法は、孔１０５Ｇの直径寸法と同じ又は略同じとなっているので、図２１の孔１０５Ｇに一部が嵌入されている案内部材８４を、上下逆にすることで孔２０５Ｈにも嵌入することができる。このため、孔１０５Ｇに一部が嵌入された案内部材８４の湾曲部８４Ａは、図２４に示すように、蓋部材５Ｃの孔２０５Ｈの側へ湾曲したものとなる。
【０１４３】
この実施形態によると、電源線３９は、上下に配置された２個の案内部材８４の湾曲案内作用により、案内部材８３の内部孔８３Ａと上側の案内部材８４の内部孔８４Ｂとに挿通された後、下側の案内部材８４の内部孔８４Ｂにも挿通されてそのまま隙間部Ｓ２を通過することになる。
【０１４４】
したがって、巻取軸２０を支持用ブラケット８の軸受け部１０に支持させるときに、電源線３９をブラケット本体８Ａの孔１３４と蓋部材５Ｃの孔１０５Ｇとに挿通させることができるとともに、この電源線３９を蓋部材５Ｃの孔２０５Ｈにも挿通させて隙間部Ｓ２を通過させることができ、電源線３９の配線作業のさらなる容易化を図ることができる。
【０１４５】
なお、この実施形態において、孔１０５Ｇと孔２０５Ｈには、上下に配置された２個の案内部材８４を連結して１個の案内部材としたものを嵌入するようにしてもよい。すなわち、２個の湾曲部（シャッターカーテン３１の閉じ側である下側へ湾曲する湾曲部と、蓋部材５Ｃの孔２０５Ｈの側へ湾曲する湾曲部）を有する１個の湾曲部材の一部を孔１０５Ｇと孔２０５Ｈとに嵌入するようにしてもよい。
【０１４６】
図２５と図２６は、図２０及び図２１と同様に、図１４で示した紐状部材である切替部材３５を、支持用ブラケット７のブラケット本体７Ａの第１孔及び蓋部材５Ｂの第２孔，第３孔に通すことに関する別実施形態を示している。なお、図２５に示されている実施形態でも、第１孔である孔３６と、第２孔である５Ｅと、第３孔である１０５Ｆは、全て同じ又は略同じ直径寸法を有している。また、図２６に示されている実施形態でも、第１孔である孔１３６と、第２孔である孔１０５Ｅと、第３孔である孔２０５Ｆは、全て同じ又は略同じ直径寸法を有しているが、これらの直径寸法は、図２５に示す各孔の直径寸法よりも大きいものとなっている。
【０１４７】
図２５の実施形態では、図２０の実施形態と同様に、金属製のブラケット本体７Ａの孔３６に、このブラケット本体７Ａの材料である金属よりも軟質のゴムや合成樹脂等の材料で形成された短寸の前記案内部材８３を嵌入し、金属性の蓋部材５Ｂの孔５Ｅ，１０５Ｆにも、前記案内部材８３を嵌入し、これらの案内部材８３の内部孔８３Ａに切替部材３５を挿通している。
【０１４８】
これによると、図２０の実施形態と同様に、切替部材３５をブラケット本体７Ａ及び蓋部材５Ｂに挿通するときに、この切替部材３５が金属製の支持用ブラケット７の孔３６及び蓋部材５Ｂの孔５Ｅ，１０５Ｆで擦れて損傷することを、案内部材８３により防止することができる。
【０１４９】
図２６の実施形態では、図２１の実施形態と同様に、図２５の実施形態において蓋部材５Ｂの第２孔である孔５Ｅに嵌入していた案内部材８３の代わりに、図２６に示す第２孔である孔１０５Ｅに挿通した後の切替部材３５の配線方向のうちの一方向であるシャッターカーテンの閉じ移動である下方向に湾曲した湾曲部８４Ａを有している長寸の案内部材８４の一部を嵌入し、止め具８５により、この案内部材８４を蓋部材５Ｂに止めている。なお、図２６に示す第１孔である孔１３６と第３孔である孔２０５Ｆには、これらに適合する案内部材１８３（図２５に示す案内部材８３と同様の形状を有するもの）が嵌入されている。
【０１５０】
この実施形態によると、案内部材８４の湾曲部８４Ａによる湾曲案内作用により、案内部材８４の内部孔８４Ｂに水平方向に挿通した後の切替部材３５を蓋部材５Ｂの外部に下方向に湾曲させて一旦突出させることができる。
【０１５１】
なお、この案内部材８４は、図２５の案内部材８３と同様に、金属よりも軟質のゴムや合成樹脂等の材料で形成してもよい。
【０１５２】
図２７は、図２６の孔１０５Ｅに一部が嵌入されている案内部材８４と同じものを、孔２０５Ｆにも嵌入した実施形態を示す図である。
【０１５３】
前述したように、孔２０５Ｆの直径寸法は、孔１０５Ｅの直径寸法と同じ又は略同じとなっているので、図２６の孔１０５Ｅに一部が嵌入されている案内部材８４を、上下逆にすることで孔２０５Ｆにも嵌入することができる。このため、孔１０５Ｅに一部が嵌入された案内部材８４の湾曲部８４Ａは、図２４に示すように、蓋部材５Ｂの孔２０５Ｆの側へ湾曲したものとなる。
【０１５４】
この実施形態によると、切替部材３５は、上下に配置された２個の案内部材８４の湾曲案内作用により、案内部材８３の内部孔８３Ａと上側の案内部材８４の内部孔８４Ｂとに挿通された後、下側の案内部材８４の内部孔８４Ｂにも挿通されてそのまま隙間部Ｓ１を通過することになる。
【０１５５】
したがって、巻取軸２０を支持用ブラケット７の軸受け部９に支持させるときに、切替部材３５をブラケット本体７Ａの孔１３６と蓋部材５Ｂの孔１０５Ｅとに挿通させることができるとともに、この切替部材３５を蓋部材５Ｂの孔２０５Ｆにも挿通させて隙間部Ｓ２を通過させることができ、切替部材３５の配線作業のさらなる容易化を図ることができる。
【０１５６】
なお、この実施形態において、孔１０５Ｅと孔２０５Ｆには、上下に配置された２個の案内部材８４を連結して１個の案内部材としたものを嵌入するようにしてもよい。すなわち、２個の湾曲部（シャッターカーテン３１の閉じ側である下側へ湾曲する湾曲部と、蓋部材５Ｂの孔２０５Ｆの側へ湾曲する湾曲部）を有する１個の湾曲部材の一部を孔１０５Ｅと孔２０５Ｆとに嵌入するようにしてもよい。
【０１５７】
なお、ブラケット本体７Ａ，８Ａの孔３６，３４、蓋部材５Ｃの孔５Ｇ（１０５Ｇも同様），５Ｈ（１０５Ｈ、２０５Ｈも同様）、蓋部材５Ｂの孔５Ｅ（１０５Ｅも同様），５Ｆ（１０５Ｆ、２０５Ｆも同様）に、上述した案内部材８３（１８３も同様），８４，８６を設けない場合には、各孔の内周面（孔の縁部を含む）を滑面とすることが好ましい。
【０１５８】
次に、電動モータ２１Ｃが構成要素となっている開閉機２１の端部２１Ａと、支持用ブラケット８のブラケット本体８Ａとを連結している中間構成体３０の構造について説明する。
【０１５９】
図７及び図８に示されているように、中間構成体３０は、開閉機２１の側に配設された第１中間物４１と、支持用ブラケット８のブラケット本体８Ａの側に配設された第２中間物４２とからなり、これらの第１及び第２中間物４１，４２が、窓用シャッター装置の正面側（作業者から見て手前側）から工具等で回転させることができるビス等の接続具４３で互いに接続されることにより、開閉機２１の端部２１Ａと支持用ブラケット８のブラケット本体８Ａとが中間構成体３０により連結されている。
【０１６０】
図２８には、第１中間物４１を構成するそれぞれの部材５１，５２が示されており、図２９には、第２中間物４２を構成するそれぞれの部材６１〜６３が示されている。さらに、図３０及び図３１には、第１中間物４１の正面図及び側面図が示されており、図３２及び図３３には、第２中間物４２の正面図及び側面図が示されている。
【０１６１】
図２８に示されているように、開閉機２１の側の第１中間物４１は、板金製の第１部材５１と第２部材５２により形成されている。板金の打ち抜き品である第１部材５１の全体形状は、前後寸法が小さくて上下寸法が大きい幅狭部５１Ａと、前後寸法が大きくて上下寸法が小さい幅広部５１Ｂとからなる略Ｔ字形状であり、幅狭部５１Ａには凹部５３が形成され、幅広部５１Ｂには孔５４が設けられている。また、板金の折り曲げ品である第２部材５２は、上下方向の中央部に舌片部５２Ｃが設けられている全体形状が略Ｍ字状の部材であり、舌片部５２Ｃよりも上下の部分５２Ａ，５２Ｂに孔５５が形成され、舌片部５２Ｃにも孔５６が形成されている。
【０１６２】
図３０及び図３１から分かるように、舌片部５２Ｃが凹部５３の内部に挿入されることにより、第１部材５１と第２部材５２が組み合わせられ、これにより、第１中間物４１が組み立てられた後に、これらの第１部材５１と第２部材５２は溶接により接合される。そして、図１１から分かるように、第１中間物４１は、孔５４，５６に挿入したビス等の止着具５７により、開閉機２１の前述した端部２１Ａの端面に止着される。これにより、図７及び図８０に示されているように、第２部材５２は、第１部材５１から支持用ブラケット８のブラケット本体８Ａの側に突出することになる。
【０１６３】
また、図２９に示されているように、支持用ブラケット８のブラケット本体８Ａの側の第２中間物４２は、板金製の第１部材６１と第２部材６２と第３部材６３により形成されており、第２部材６２には、同一寸法及び同一形状のものが上下２個ある。板金の打ち抜き品である第１部材６１の全体形状は円形であり、中央部に大きな四角形の開口部６４が形成されているとともに、この開口部６４のそれぞれの辺部に電動式巻取軸２０の外径方向へ延出する凹部６５が形成され、さらに、４個の凹部６５のうち、前後２個の凹部６５には、前後方向へ延びる細幅状の欠部６６が設けられている。また、第１部材６１には、上下２個の凹部６５よりも外側において、２個の孔６７が設けられているとともに、これらの孔６７よりも前後の箇所であって、第１部材６１の中心部よりも上下の箇所において、合計４個の孔６８が第１部材６１の円周方向に設けられている。
【０１６４】
それぞれ板金の打ち抜き品である２個の第２部材６２は、向きが上下逆となっているだけであって、同じ寸法による同じ形状となっているため、図２９の下側の第２部材６２について説明すると、第２部材６２の全体形状は、第１部材６１の円形の外輪郭部６１Ａのうちの一部と同じ円弧状となっている円弧状輪郭部６２Ａの両端が直線状に延びている直線部６２Ｂで繋がれている略三日月形状となっており、この直線部６２Ｂには、下方へ延出する凹部６９が形成されている。そして、第１部材６１よりも小さい面積を有している第２部材６２の厚さ寸法は、図２及び図３で説明した支持用ブラケット８に設けられている軸受け部１０のフランジ部１７となっている第１及び第２突出部１７Ａ〜１７Ｃの厚さ寸法と対応するものになっており、すなわち、第２部材６２の厚さ寸法と、第１及び第２突出部１７Ａ〜１７Ｃの厚さ寸法は、同じになっている。
【０１６５】
また、図３４及び図３５に示されているように、第２部材６２の凹部６９の形状は、軸受け部１０の第１突出部１７Ａの形状と対応する四角形となっており、このため、凹部６９の前後寸法（図３５では左右寸法）Ｌ１は、第１突出部１７Ａの前後寸法（図３４では左右寸法）Ｌ２と対応しており、これらの寸法Ｌ１，Ｌ２は同じになっている。なお、凹部６９の上下寸法Ｌ３は、第１突出部１７Ａの上下寸法Ｌ４よりも小さくなっている。
【０１６６】
図２９で示す第２中間物４２の第３部材６３は板金の折り曲げ品であり、この第３部材６３の全体形状は、上下方向の寸法を有するウェブ部６３Ａと、このウェブ部６３Ａの上下両端から後方へ延出したフランジ部６３Ｂ，６３Ｃとからなる断面チャンネル形状となっている。また、ウェブ部６３Ａにおける電動式巻取軸２０の軸方向における一方の端部となっているこの巻取軸２０の側の端部には、凹部７０が形成され、この凹部７０の上下に２個のねじ孔７１が形成されている。
【０１６７】
以上の第１〜第３部材６１〜６３により第２中間物４２を組み立てるためには、図３２及び図３３から分かるように、上下２個の第２部材６２を、これらの第２部材６２の向きを上下逆にして、第１部材６１の一方の面、すなわち、第１部材６１における支持用ブラケット８のブラケット本体８Ａの側の面に当てるとともに、これらの第２部材６２の円弧状輪郭部６２Ａを、第１部材６１の外輪郭部６１Ａのうちの上下部分と一致させ、第１部材６１に上下２個の第２部材６２をスポット溶接等で結合する。
【０１６８】
また、第３部材６３を、第１部材６１の大きな開口部６４のうち、作業者から見て手前側の部分に、第２部材６２が結合された第１部材６１の面とは反対側の面から挿入し、これらの第２部材６２と第３部材６３を溶接等で結合する。
【０１６９】
これによって製造された第２中間物４２は、図７及び図８に示されているように、第３部材６３が、第１部材６１及び第２部材６２から電動式巻取軸２０の側へ突出したものとなっている。
【０１７０】
また、図７及び図８で示されている中間構成体３０の一部を構成する構成物となっている第２中間物４２には、図１２に示されているように、支持用ブラケット８の軸受け部１０のうち、軸受け部本体１６を挿入することができる開口部が、この第２中間物４２の第１部材６１の大きな開口部６４により形成されていることになり、さらに、第２中間物４２には、軸受け部１０うち、支持用ブラケット８のブラケット本体８Ａに結合されているフランジ部１７の第１突出部１７Ａを収容可能となったフランジ部収容部７５（図１２及び図３３を参照）が、上下２個の第２部材６２のうち、下側の第２部材６２の凹部６９により形成されていることになる。また、第２中間物４２には、フランジ部１７のうち、２個の第２突出部１７Ｂ，１７Ｃを収容可能となったフランジ部収容部７６（図１２及び図３３を参照）が、上下２個の第２部材６２の間の間隔の部分で形成されていることになる。
【０１７１】
以上の第２中間物４２は、図７及び図８に示されているように、窓用電動式シャッター装置が窓用手動式シャッター装置のときから存在している支持用ブラケット８のブラケット本体８Ａに取り付けられることになる。この取付作業は、上下２個の第２部材６２のうち、下側の第２部材６２の凹部６９により形成されているフランジ部収容部７５に第１突出部１７Ａを収容するとともに、フランジ部収容部７６に２個の第２突出部１７Ｂ，１７Ｃを収容して行い、また、ブラケット本体８Ａに設けられている軸受け部１０の軸受け部本体１６を、第１部材６１に大きく形成されている開口部６４に挿入して行う。
【０１７２】
次いで、図２９で説明した第１部材６１に４個設けられている孔６８のうち、作業者の手前側でかつ上側となっている１個の孔６８に位置決めピン７７（図１２を参照）挿入して、この位置決めピン７７を上側の第２部材６２及びブラケット本体８Ａを貫通させることにより、第２中間物４２をブラケット本体８Ａに位置決め仮固定する。
【０１７３】
なお、このように位置決めピン７７により、第２中間物４２をブラケット本体８Ａに位置決め仮固定する際に、第１部材６１の大きな開口部６４のうち、第３部材６３が挿入されている部分が図１２とは反対側の部分であったために、第２中間物４２の向きを上下逆にしても、また、図４で説明した開閉機２１が電動式巻取軸２０の内部に収納配置されている箇所が、図４で示されているこの巻取軸２０の端部とは反対側の端部であるため、中間構成体３０が図４の右側の支持用ブラケット７の側に配置されることになっていても、位置決めピン７７を挿入できる孔６８は第１部材６１の円周方向に４個設けられているため、作業者は、作業がし易い手前側でかつ上側となっている箇所に設けられている１個の孔６８に位置決めピン７７を挿入することができる。
【０１７４】
以上の作業を行った後に、図１２から分かるように、第１部材６１に上下２個設けられている孔６７のうち、下側の孔６７にリベット等の止着具７８を、第１部材６１に２個設けられている欠部６６にもリベット等の止着具７９をそれぞれ挿入し、止着具７８を第２部材６２及び／又は軸受け部１０の第１突出部１７Ａと、ブラケット本体８Ａとに貫通させ、止着具７９を軸受け部１０の第２突出部１７Ｂ，１７Ｃとブラケット本体８Ａとに貫通させる。これにより、第２中間物４２は、止着具７８，７９により支持用ブラケット８のブラケット本体８Ａに止着されることになる。
【０１７５】
このように第２中間物４２を止着具７８，７９により支持用ブラケット８のブラケット本体８Ａに止着する際にも、第１部材６１の大きな開口部６４のうち、第３部材６３が挿入されている部分が図１２とは反対側の部分であったために、第２中間物４２の向きを上下逆にしても、また、図４で説明した開閉機２１が電動式巻取軸２０の内部に収納配置されている箇所が、図４で示されているこの電動式巻取軸２０の端部とは反対側の端部であるため、中間構成体３０が図４の右側の支持用ブラケット７の側に配置されることになっていても、第１部材６１の孔６７は上下２個あり、欠部６６も前後２個あるため、第２中間物４２を止着具７８，７９により支持用ブラケット８のブラケット本体８Ａに止着する作業を所定どおり行うことができる。
【０１７６】
次いで、電動式巻取軸２０の開口端から突出している開閉機２１の端部２１Ａに取り付けられた第１中間物４１を支持用ブラケット８に近づけ、この第１中間物４１の第２部材５２と、第２中間物４２の第３部材６３の先端部とを、図７、図８及び図１１に示されているように前後方向に重ね合わせ、第１中間物４１の第２部材５２に形成されている２個の孔５５に図７及び図８で説明したビス等の接続具４３を挿入して、これらの接続具４３を第２中間物４２の第３部材６３に２個形成されているねじ孔７１に螺入して締め付ける。
【０１７７】
これにより、第１中間物４１と第２中間物４２は接続され、この接続により形成される中間構成体３０により、電動式巻取軸２０の内部に収納されている開閉機２１と、支持用ブラケット８のブラケット本体８Ａとが連結されることになる。
【０１７８】
以上において、第１中間物４１の第２部材５２と、第２中間物４２の第３部材６３は、図８に示されているように、これらの中間物４１，４２における前後方向の中央部よりも作業者の側となっている手前側に配置されているため、接続具４３による第１及び第２中間物４１，４２の接続作業を容易に行うことができる。
【０１７９】
そして、本実施形態では、第２中間物４２の構成部材となっている第１部材６１についての電動式巻取軸２０の直径方向の寸法が、図７及び図８に示されているＤ１となっており、この寸法Ｄ１は、中間構成体３０を構成する部材のそれぞれの寸法のうちで最大の寸法となっているが、この寸法Ｄ１は、電動式巻取軸２０の直径寸法Ｄ２よりも小さくなっている。また、この直径寸法Ｄ２を支持用ブラケット８の側へ延長した延長直径寸法の内側に中間構成体３０が入るように、支持用ブラケット８における中間構成体３０の配置位置が設定されている。
【０１８０】
このため、図５で示した電動用シャッターカーテン３１を構成するスラット３２が、前述したように、シャッターケース５の内部において左右方向にスライドするおそれがあるものとなっていて、このスライドが実際に生じても、言い換えると、シャッターカーテン３１を構成するシャッターカーテン構成部材が、電動式巻取軸２０に左右方向にずれて巻き取られても、このずれたシャッターカーテン構成部材が中間構成体３０に干渉することはなく、したがって、巻取軸２０によるシャッターカーテン３１による円滑な巻き取り、繰り出しを確保することができる。
【０１８１】
また、上述の寸法Ｄ１を有している第１部材６１は、第２中間物４２の板状となっている第２部材６２を介して支持用ブラケット８のブラケット本体８Ａに結合されており、この第１部材６１は巻取軸２０から大きく離れた箇所に配置されているため、左右方向にスライドしたスラット３２の端部が下方に撓むことがあっても、中間構成体３０と干渉することを防止できる。
【０１８２】
なお、シャッターカーテン構成部材が電動式巻取軸２０に左右方向にずれて巻き取られても、中間構成体３０と干渉しない又は実質的に干渉するおそれがなければ、中間構成体３０を構成する部材となっている箇所又は中間構成体３０の一部となっている箇所についての寸法を、電動式巻取軸２０の直径寸法Ｄ２よりも大きくし、かつこの箇所を上述の延長直径寸法の内側に入らないようにしてもよい。これについての一例は、巻取軸２０から大きく離れていて、支持用ブラケット８のブラケット本体８Ａに近い箇所に配置されている第１部材６１及び第２部材６２の寸法を、電動式巻取軸２０の直径寸法Ｄ２よりも大きくし、かつ第１部材６１及び第２部材６２が上述の延長直径寸法の内側に入らないようにすることである。
【０１８３】
また、上述した電動式巻取軸２０の直径寸法Ｄ２とは、電動用シャッターカーテン３１の上端が吊り元部材を介して電動式巻取軸２０の外周面に結合されているなど場合には、この吊り元部材等のャッターカーテン３１や電動式巻取軸２０に設けられている付属部材を含む寸法である。
【０１８４】
また、電動式巻取軸２０の直径寸法Ｄ２は、電動用シャッターカーテン３１の上端に、この電動用シャッターカーテン３１が全閉位置まで閉じ移動したときでも、電動式巻取軸２０に巻かれている捨て巻きの部分がある場合には、この捨て巻きの部分を含む寸法であり、さらに、電動用シャッターカーテン３１の上端に、電動用シャッターカーテン３１が全閉位置まで閉じ移動したときに、電動式巻取軸２０から繰り出される部分であっても、この繰り出される部分が、電動式巻取軸２０に左右方向にずれるおそれのない部分となっている場合には、この部分を含む寸法である。
【０１８５】
また、本実施形態では、第２中間物４２の構成部材となっている第１部材６１に形成されている開口部６４は、支持用ブラケット８のブラケット本体８Ａに設けられている既存の軸受け部１０を構成する軸受け部本体１６とフランジ部１７とのうち、軸受け部本体１６だけを挿入できる大きさとなっているため、この開口部を軸受け部本体１６とフランジ部１７との両方を挿入できる大きさとした場合と比較すると、開口部６４の大きさを小さくすることができ、このため、第１部材６１の強度や、この第１部材６１が構成要素となっている第２中間物４２の強度、さらには、この第２中間物４２が構成要素となっている中間構成体３０の強度を充分に大きくすることができる。
【０１８６】
また、本実施形態では、既存の軸受け部１０の軸受け部本体１６は、第２中間物４２の第１部材６１の開口部６４に挿入され、この軸受け部１０におけるブラケット本体８Ａに結合されているフランジ部１７となっている第１突出部１７Ａは、第２中間物４２の第２部材６２の凹部６９によりブラケット本体８Ａとの間で形成されているフランジ部収容部７５に収容されており、また、軸受け部１０の別のフランジ部１７となっている２個の第２突出部１７Ｂ，１７Ｃは、第２中間物４２の上下２個の第２部材６２の間の間隔によりブラケット本体８Ａとの間で形成されているフランジ部収容部７６に収容されているため、開閉機２１と支持用ブラケット８のブラケット本体８Ａとを連結する中間構成体３０は、既存の軸受け部１０に邪魔されないで、これらの開閉機２１と支持用ブラケット８のブラケット本体８Ａとの間に介入されていることになる。
【０１８７】
また、図３４及び図３５で示した寸法Ｌ１と寸法Ｌ２は同じあるため、図３４で示されている軸受け部１０のフランジ部１７のうち、第１突出部１７Ａの下端１７Ｅに、第２中間物４２の構成部材となっている第２部材６２の凹部６９の下端６９Ａを当接させることにより、第１突出部１７Ａをフランジ部収容部７５に収容すると、第２中間物４２及び中間構成体３０は支持用ブラケット８に対して上下方向と前後方向に位置決めされることになり、このため、この位置決めにより、電動式巻取軸２０を、左右一対の支持用ブラケット７，８の間に、上下方向と前後方向の所定位置にして配置することができることになり、これにより、この巻取軸２０の高度の水平精度等を確保することができる。
【０１８８】
また、本実施形態の第２中間物４２には、上下２個の第２部材６２が上下の向きを逆にして設けられ、これらの第２部材６２は、同一寸法で同一形状の凹部６９が形成された同じものとなっているため、これらの第２部材６２により、中間構成体３０の一部を構成する構成物となっている第２中間物４２を上下逆転して使用できるようになっている。
【０１８９】
このため、第２中間物４２には上下の区別がなく、したがって、この第２中間物４２を支持用ブラケット８のブラケット本体８Ａに結合する際に、上下を気にすることなくこの結合作業を容易に行える。
【０１９０】
次に、紐状部材である切替部材３５と電源線３９の配線方法の一実施形態を、手動式巻取軸６から電動式巻取軸２０への改修方法の一実施形態と併せて詳細に説明する。
【０１９１】
まず、図１に示されているシャッターケース５の本体５Ａのうちの少なくとも下面部（底面部）と、左右一対のガイドレール４を取り外す作業工程を実施する（作業を行う）。
【０１９２】
次に、上端が手動式巻取軸６に連結されている図１に示されている手動式シャッターカーテン３を、手動式巻取軸６から取り外す作業工程を実施する。
【０１９３】
この後、左右一対の支持用ブラケット７，８に設けられている軸受け部９，１０で支持されている手動式巻取軸６を、軸受け部９，１０から取り外す作業工程を実施する。
【０１９４】
次に、図６に示す残された右側の支持用ブラケット７のブラケット本体７Ａに、電動式巻取軸２０における支持用ブラケット７の側の端部を形成している中心軸２５の軸端部２５Ａから導出される切替部材３５を挿通するための孔３６（図２５も参照）を形成する作業工程と、図３に示す残された左側の支持用ブラケット８のブラケット本体８Ａに、電動式巻取軸２０における支持用ブラケット８の側の端部を形成している開閉機２１の支持用ブラケット８の側の端部２１Ａから導出される電源線３９を挿通するための図２０に示す孔３４を形成する作業工程を実施する。なお、ブラケット本体７Ａに孔３６を形成する作業工程とブラケット本体８Ａに孔３４を形成する作業工程は、複数の作業者により同時に実施されるようにしてもよく、少なくとも１人の作業者により、孔３６を形成する作業工程と孔３４を形成する作業工程のうちのいずれか一方の作業工程が先に実施され、この後、他方の作業工程が実施されるようにしてもよい。
【０１９５】
この後、上記作業工程の実施によりブラケット本体７Ａ，８Ａに形成した孔３６，３４に、電動式巻取軸２０から導出される切替部材３５及び電源線３９を案内するための前述した図２０や図２５に示す案内部材８３あるいは図２２や図２３に示す案内部材８６を嵌入する作業工程を実施する。
【０１９６】
次に、図１８や図１９に示すシャッターケース５の蓋部材５Ｂに切替部材３５を挿通するための図２５に示す上下２個の孔５Ｅ，１０５Ｆを形成する作業工程と、図１６や図１７に示すシャッターケース５の蓋部材５Ｃに電源線３９を挿通するための図２０に示す上下２個の孔５Ｇ，１０５Ｈを形成する作業工程を実施する。なお、蓋部材５Ｂに孔５Ｅ，１０５Ｆを形成する作業工程と蓋部材５Ｃに孔５Ｇ，１０５Ｈを形成する作業工程も、複数の作業者により同時に実施されるようにしてもよく、少なくとも１人の作業者により、蓋部材５Ｂに孔５Ｅ，１０５Ｆを形成する作業工程と蓋部材５Ｃに孔５Ｇ，１０５Ｈを形成する作業工程のうちのいずれか一方の作業工程が先に実施され、この後、他方の作業工程が実施されるようにしてもよい。
【０１９７】
この後、上記作業工程の実施によりシャッターケース５の蓋部材５Ｂ，５Ｃに形成した上記各孔に、電動式巻取軸２０から導出される切替部材３５及び電源線３９を案内するための前述した図２０や図２５に示す案内部材８３あるいは図２２や図２３に示す案内部材８６を嵌入する作業工程を実施する。なお、蓋部材５Ｂの孔５Ｅや蓋部材５Ｃの孔５Ｇには、図２１や図２６に示す案内部材８４と同様の形状を有する案内部材を嵌入するようにしてもよい。また、蓋部材５Ｂの孔１０５Ｆや蓋部材５Ｃの孔１０５Ｈにも、図２４や図２７に示す下側の案内部材８４と同様の形状を有する案内部材を嵌入するようにしてもよい。
【０１９８】
次に、図７及び図８に示すように、開閉機２１の端部２１Ａと、支持用ブラケット８のブラケット本体８Ａとを連結するための中間構成体３０を構成する第２中間物４２を、ブラケット本体８Ａに取り付ける作業工程と、中間構成体３０を構成する図７、図８及び図１１に示す第１中間物４１を、電動式巻取軸２０の開閉機２１の端部２１Ａに取り付ける作業工程と、を実施する。なお、この第１中間物４１を電動式巻取軸２０の開閉機２１の端部２１Ａに取り付ける作業工程は、シャッター装置の設置場所である現場ではなく、予め工場で実施するようにしてもよい。
【０１９９】
この後、切替部材３５及び電源線３９が導出されている電動式巻取軸２０を、高さ位置が支持用ブラケット７，８の軸受け部９，１０の上端の高さ位置よりも若干上の高さ位置となるまで、水平に持ち上げる作業工程を実施する。
【０２００】
次に、電動式巻取軸２０から導出されている切替部材３５を、図２５に示すように、ブラケット本体７Ａの孔３６に嵌入した案内部材８３の内部孔８３Ａと、蓋部材５Ｂの孔５Ｅに嵌入した案内部材８３の内部孔８３Ａとに挿通し、図１５や図１８に示すように、蓋部材５Ｂの外部に一旦突出させた後に、電動式巻取軸２０における支持用ブラケット７の側の端部を形成している中心軸２５の軸端部２５Ａを、支持用ブラケット７のブラケット本体７Ａに設けられている軸受け部９の軸受け部本体１８の底部１８Ａに載置させる作業工程を実施する。
【０２０１】
この作業工程の後、又はこの作業工程と同時に、電動式巻取軸２０から導出されている電源線３９を、図２０に示すように、ブラケット本体８Ａの孔３４に嵌入した案内部材８３の内部孔８３Ａと、蓋部材５Ｃの孔５Ｇに嵌入した案内部材８３の内部孔８３Ａとに挿通し、図１５や図１６に示すように、蓋部材５Ｃの外部に一旦突出させた後に、電動式巻取軸２０における支持用ブラケット７の側の端部を形成している開閉機２１の端部２１Ａに取り付けた第１中間物４１を、支持用ブラケット８のブラケット本体８Ａに取り付けた第２中間物４２に、図７及び図８に示すビス等の接続具４３により接続（連結）する作業工程を実施する。
【０２０２】
次に、軸受け部９の軸受け部本体１８の底部１８Ａに載置させた電動式巻取軸２０の中心軸２５の軸端部２５Ａを、図５及び図６に示すように、ボルト１４とナット１５で軸受け部９の軸受け部本体１８に固定する作業工程を実施する。なお、この作業工程は、第１中間物４１を第２中間物４２に接続する上記作業工程と同時に実施するようにしてもよい。
【０２０３】
以上の作業工程の実施により、電動式巻取軸２０は、支持用ブラケット７，８に支持された状態となる。
【０２０４】
この後、電動式巻取軸２０に電動用シャッターカーテン３１の上端を取り付ける作業工程を実施し、次いで、前述した最初の作業工程で取り外したシャッターケース５の本体５Ａのうちの少なくとも下面部（底面部）と、左右一対のガイドレール４を取り付ける作業工程を実施する。なお、電動式巻取軸２０に電動用シャッターカーテン３１の上端を取り付ける作業工程は、予め工場において実施されるようにしてもよい。すなわち、電動式巻取軸２０は、電動用シャッターカーテン３１が巻き取られた状態で現場に搬入されるようにしてもよい。
【０２０５】
この後、前述したように蓋部材５Ｂの孔５Ｅから一旦突出させた切替部材３５を、図２５に示すように蓋部材５Ｂの孔１０５Ｆに嵌入した案内部材８３の内部孔８３Ａに挿通するとともに、ブラケット本体７Ａと蓋部材５Ｂとの間に形成された隙間部Ｓ１を通過させ、図４や図１９に示すように、蓋部材５Ｂの下面部（底面部）５Ｌに形成されたシャッターカーテン３１の厚さ方向である前後方向に長い開口部５Ｉから露出(突出)させる作業工程と、この切替部材３５の終端部を、左右一対のガイドレール４のうちの一方に配置された引張操作部材３８に連結させる作業工程を実施する。
【０２０６】
また、前述したように蓋部材５Ｃの孔５Ｇから一旦突出させた電源線３９を、図２０に示すように蓋部材５Ｃの孔１０５Ｈに嵌入した案内部材８３の内部孔８３Ａに挿通するとともに、ブラケット本体８Ａと蓋部材５Ｃとの間に形成された隙間部Ｓ２を通過させ、図４や図１７に示すように、蓋部材５Ｃの下面部（底面部）５Ｋに形成されたシャッターカーテン３１の厚さ方向である前後方向に長い開口部５Ｊから露出(突出)させる作業工程と、この電源線３９の終端部を、屋外又は屋内に配置された電源コンセントに接続させる作業工程を実施する。
【０２０７】
これらの配線作業が終了した後は、蓋部材５Ｂ，５Ｃに、切替部材３５や電源線３９のうちの蓋部材５Ｂ，５Ｃから露出している部分３５Ａ，３９Ａ（図２５及び図２０参照）を覆うためのカバー部材である下向きに開口したキャップ部材３７，４０を取り付ける作業工程を実施する。
【０２０８】
以上で、切替部材３５及び電源線３９の配線作業を含む手動式巻取軸６を電動式巻取軸２０に改修するためのシャッター装置の改修作業は終了する。
【０２０９】
なお、シャッターケース５の下面部（底面部）を取り外す作業工程を実施するタイミングは、手動式巻取軸６を取り外す作業工程を実施する前であれば作業工程の利便性を考慮して任意であり、シャッターケース５の下面部（底面部）を取り付ける作業工程を実施するタイミングも、電動式巻取軸６を取り付ける作業工程を実施した後（好ましくは、さらに紐状部材である切替部材３５と電源線３９を孔に挿通する作業工程を実施した後）であれば作業工程の利便性を考慮して任意である。
【０２１０】
なお、以上説明した実施形態において、電源線３９が挿通されるブラケット本体８Ａの孔３４、蓋部材５Ｃの孔５Ｇ及び孔５Ｈの径寸法（案内部材が嵌入される場合にはこの案内部材の内径寸法）や、蓋部材５Ｃの下面部５Ｋの開口部５Ｊ（図１７参照）の開口幅寸法は、電源線３９の終端部に取り付けられる図示されない電源プラグの最大寸法（電源コンセントに挿入する方向と直交する方向の最大幅寸法（電源プラグが円柱状である場合には最大直径寸法））よりも大きくなっていてもよく、いなくてもよい。
【０２１１】
すなわち、孔３４、孔５Ｇ、孔５Ｈ及び開口部５Ｊは、電源線３９の終端部に取り付けられる電源プラグが挿通可能な径寸法、開口幅寸法を有するものでもよく、有しないものでもよい。
【０２１２】
後者の場合には、電源線３９を、孔３４、孔５Ｇ、孔５Ｈ及び開口部５Ｊに挿通する作業工程が実施された後に、電源プラグを電源線３９の終端部に取り付ける作業工程が実施されるようにする。なお、この電源プラグを電源線３９の終端部に取り付ける作業工程は、他の作業工程（電源線３９の挿通作業工程を除く）と前後して構わない。
【０２１３】
同様に、切替部材３５が挿通されるブラケット本体７Ａの孔３６、蓋部材５Ｂの孔５Ｅ及び孔５Ｆの径寸法（案内部材が嵌入される場合にはこの案内部材の内径寸法）や、蓋部材５Ｂの下面部５Ｌの開口部５Ｉ（図１９参照）の開口幅寸法も、切替部材３５の終端部に取り付けられる引張操作部材３８（図９参照）の最大幅寸法（引張操作部材３８が円柱状である場合には最大直径寸法））よりも大きくなっていてもよく、いなくてもよい。
【０２１４】
すなわち、孔３６、孔５Ｅ、孔５Ｆ及び開口部５Ｉ等は、切替部材３５の終端部に取り付けられる引張操作部材３８が挿通可能な径寸法、開口幅寸法を有するものでもよく、有しないものでもよい。
【０２１５】
後者の場合には、切替部材３５を、孔３６、孔５Ｅ、孔５Ｆ及び開口部５Ｉ等に挿通する作業工程が実施された後に、引張操作部材３８を切替部材３５の終端部に取り付ける作業工程が実施されるようにする。なお、この引張操作部材３８を切替部材３５の終端部に取り付ける作業工程は、他の作業工程（切替部材３５の挿通作業工程を除く）と前後して構わない。
【０２１６】
なお、以上説明した実施形態では、開閉機は、巻取軸の内部に収納されるものであったが、以上説明した実施形態に係る配線構造や配線方法は、開閉機を巻取軸の外部に配置した場合にも適用できる。
【０２１７】
すなわち、開閉機を巻取軸２０の外部に配置し、この開閉機を支持部材（取付部材）を介して左右一対の支持用ブラケット７，８のブラケット本体７Ａ，８Ａのうちのいずれか一方に支持する（取り付ける）場合においても、以上説明した実施形態に係る配線構造や配線方法を適用できる。
【０２１８】
例えば、開閉機を取付部材を介して支持用ブラケット８に支持させるときに、開閉機から延びる電源線を、図１３や図１５に示されているのと同様に、ブラケット本体８Ａの孔３４と蓋部材５Ｃの孔５Ｇとに挿通して蓋部材５Ｃの外部に一旦突出させる作業工程を実施する。
【０２１９】
そして、開閉機を支持用ブラケット８に支持させた後、蓋部材５Ｃの外部に一旦突出された電源線を、図１７に示されているのと同様に、蓋部材５Ｃの孔５Ｈに挿通してブラケット本体８Ａと蓋部材５Ｃとの間に形成された隙間部Ｓ２（図１３参照）を通過させる作業工程を実施する。すなわち、開閉機を支持用ブラケット８に支持させた後は、蓋部材５Ｃの外部に一旦突出させた電源線を、蓋部材５Ｃの孔５Ｈに挿通して前記隙間部Ｓ２を通過させる配線作業を行うことに専念できるようになる。
【０２２０】
なお、開閉機から延びる切替部材も、上述した電源線の例と同様に、ブラケット本体８Ａの孔３４と蓋部材５Ｃの孔５Ｇとに挿通して蓋部材５Ｃの外部に一旦突出させる作業工程を実施した後、蓋部材５Ｃの孔５Ｈに挿通して前記隙間部Ｓ２（図１３参照）を通過させてもよく、ブラケット本体７Ａの孔３６と蓋部材５Ｂの孔５Ｅとに挿通して蓋部材５Ｂの外部に一旦突出させる作業工程を実施した後、蓋部材５Ｂの孔５Ｆに挿通して前記隙間部Ｓ１（図１４参照）を通過させてもよい。
【０２２１】
なお、開閉機を巻取軸の外部に配置する場合には、開閉機は、チェーン、スプロケット等で構成される動力伝動手段を介して、巻取軸に連結する。すなわち、開閉機の電動モータの駆動力は、チェーン、スプロケット等で構成される動力伝動手段を介して、巻取軸に伝動させるようにする。
【０２２２】
なお、以上説明した実施形態では、支持用ブラケット７のブラケット本体７Ａの軸受け部９と、支持用ブラケット８のブラケット本体８Ａの軸受け部１０は、共に手動式巻取軸６を受けていた既存の軸受け部であったが、これらの軸受け部９，１０は、既存の軸受け部を交換した新たな軸受け部としてもよい。
【０２２３】
なお、以上説明した本実施形態に係る電動式シャッター装置は、手動式巻取軸から電動式巻取軸に改修されたシャッター装置であったが、本実施形態に係る配線構造、配線方法は、現場に新規に設置される電動式シャッター装置にも適用することができる。
【０２２４】
なお、以上説明した本実施形態に係る配線構造、配線方法及び改修方法は一例であり、これに限定されるものではない。
【産業上の利用可能性】
【０２２５】
本発明は、開閉体を開き移動と閉じ移動のうち、少なくとも開き移動させるための開閉機を備えた窓用シャッター装置や出入口用シャッター装置や防災用シャッター装置を含む各種の電動式シャッター装置（手動式巻取軸から電動式巻取軸に改修されたシャッター装置を含む）、ロールブラインド装置、オーニング装置、防煙垂れ幕装置、オーバーヘッドドア等に利用できる。
【符号の説明】
【０２２６】
５  収納部材であるシャッターケース
５Ｂ，５Ｃ  シャッターケースを構成する蓋部材
５Ｅ，５Ｇ  蓋部材に形成された第２孔
５Ｆ，５Ｈ  蓋部材に形成された第３孔
７，８  支持部材である支持用ブラケット
２０  巻取軸である電動式巻取軸
２０Ｂ  電動式巻取軸の一方の端部
２１  開閉機
２１Ａ  電動式巻取軸の一方の端部を構成する開閉機の端部
２１Ｃ  開閉機の電動モータ
２１Ｄ  開閉機のブレーキ
２５Ａ  電動式巻取軸の他方の端部
３１  開閉体である電動用シャッターカーテン
３４，３６  支持用ブラケットに形成された第１孔
３５  紐状部材となっている切替部材
３５Ａ  切替部材のうちの蓋部材の外部に露出した部分
３７，４０  カバー部材であるキャップ部材
３９  紐状部材となっている電気コードである電源線
３９Ａ  電源線のうちの蓋部材の外部に露出した部分
８３，８４，８６，１８３  案内部材
８３Ａ，８４Ｂ  案内部材の内部孔
８４Ａ  湾曲部
８５  止め具
【図１】
0005712072.tif 000002
【図２】
0005712072.tif 000003
【図３】
0005712072.tif 000004
【図４】
0005712072.tif 000005
【図５】
0005712072.tif 000006
【図６】
0005712072.tif 000007
【図７】
0005712072.tif 000008
【図８】
0005712072.tif 000009
【図９】
0005712072.tif 000010
【図１０】
0005712072.tif 000011
【図１１】
0005712072.tif 000012
【図１２】
0005712072.tif 000013
【図１３】
0005712072.tif 000014
【図１４】
0005712072.tif 000015
【図１５】
0005712072.tif 000016
【図１６】
0005712072.tif 000017
【図１７】
0005712072.tif 000018
【図１８】
0005712072.tif 000019
【図１９】
0005712072.tif 000020
【図２０】
0005712072.tif 000021
【図２１】
0005712072.tif 000022
【図２２】
0005712072.tif 000023
【図２３】
0005712072.tif 000024
【図２４】
0005712072.tif 000025
【図２５】
0005712072.tif 000026
【図２６】
0005712072.tif 000027
【図２７】
0005712072.tif 000028
【図２８】
0005712072.tif 000029
【図２９】
0005712072.tif 000030
【図３０】
0005712072.tif 000031
【図３１】
0005712072.tif 000032
【図３２】
0005712072.tif 000033
【図３３】
0005712072.tif 000034
【図３４】
0005712072.tif 000035
【図３５】
0005712072.tif 000036